(57)【要約】【課題】  本発明は、所望の音楽データを容易に選択させる。【解決手段】  本発明は、データベース登録読出制御モジュールＭ２により、ハードディスクに記憶された、検索キーに対応する音楽データのアルバム名を検出すると共に、ＣＤ再生制御モジュールＭ３及びＭＤ再生制御モジュールＭ４により、ＣＤ及びＭＤに記憶された、その検索キーに対応する音楽データのアルバム名を検出し、提示画像生成モジュールＭ１によりアルバム名のリストを含む楽曲提示画像を生成することにより、各種記憶媒体に記憶された音楽データを確認させずに所望の種類に属する音楽データを容易に提示でき、所望の音楽データを容易に選択させることができる。【選択図】        図２２
2005331681.tif 000002
【特許請求の範囲】
【請求項１】
１又は複数のコンテンツデータが記憶された内蔵記憶媒体内に構築されたデータベースに対して登録及び読み出しを制御するデータベース登録読出制御手段と、
１又は複数の上記コンテンツデータが記憶された外部記憶媒体に対して再生を制御する外部記憶媒体再生制御手段と、
上記データベース登録読出制御手段及び上記外部記憶媒体再生制御手段に対し所望の種類に属する上記コンテンツデータを検索するための同一の検索キーをそれぞれ送出することにより、上記データベース登録読出制御手段及び上記外部記憶媒体再生制御手段から通知された上記検索キーに対応する上記コンテンツデータのコンテンツ名のリストを含むコンテンツ提示画像を生成する提示画像生成手段と
を具え、
上記データベース登録読出制御手段は、
上記提示画像生成手段から与えられた上記検索キーに基づいて、制御対象の上記内蔵記憶媒体に記憶された、当該検索キーに対応する上記コンテンツデータの上記コンテンツ名を検出し、当該検出したコンテンツ名を上記提示画像生成手段に通知し、
上記外部記憶媒体再生制御手段は、
上記提示画像生成手段から与えられた上記検索キーに基づいて、制御対象の上記外部記憶媒体に記憶された、当該検索キーに対応する上記コンテンツデータの上記コンテンツ名を検出し、当該検出したコンテンツ名を上記提示画像生成手段に通知する
ことを特徴とするコンテンツ提示装置。
【請求項２】
上記提示画像生成手段は、
上記データベース登録読出制御手段及び上記外部記憶媒体再生制御手段に対し同一の上記検索キーとしてアーティスト名をそれぞれ送出することにより、上記データベース登録読出制御手段及び上記外部記憶媒体再生制御手段から通知された上記アーティスト名に対応する上記コンテンツデータの上記コンテンツ名及び当該アーティスト名を受け取り、当該受け取った上記コンテンツ名の上記リストと共に上記アーティスト名を含む上記コンテンツ提示画像を生成し、
上記データベース登録読出制御手段は、
上記提示画像生成手段から与えられた上記アーティスト名に基づいて、制御対象の上記内蔵記憶媒体に記憶された、当該アーティスト名に対応する上記コンテンツデータの上記コンテンツ名を検出し、当該検出したコンテンツ名を上記アーティスト名と共に上記提示画像生成手段に通知し、
上記外部記憶媒体再生制御手段は、
上記提示画像生成手段から与えられた上記アーティスト名に基づいて、制御対象の上記外部記憶媒体に記憶された、当該アーティスト名に対応する上記コンテンツデータの上記コンテンツ名を検出し、当該検出したコンテンツ名を上記アーティスト名と共に上記提示画像生成手段に通知する
ことを特徴とする請求項１に記載のコンテンツ提示装置。
【請求項３】
外部のコンテンツ提供装置と通信するようにして、上記提示画像生成手段から与えられる上記検索キーを上記コンテンツ提供装置に送信することにより当該コンテンツ提供装置から送信された当該検索キーに対応する提供対象の上記コンテンツデータの上記コンテンツ名を含むコンテンツ属性情報を受信し、当該受信したコンテンツ属性情報を上記提示画像生成手段に引き渡す通信手段
を具え、
上記提示画像生成手段は、
上記通信手段から与えられた上記コンテンツ属性情報に含まれる上記コンテンツ名と、上記データベース登録読出制御手段及び上記外部記憶媒体再生制御手段から通知された上記コンテンツ名との上記リストを含む上記コンテンツ提示画像を生成する
ことを特徴とする請求項１に記載のコンテンツ提示装置。
【請求項４】
上記通信手段は、
上記コンテンツ提供装置に上記検索キーを送信した結果、当該コンテンツ提供装置から送信された、当該検索キーに対応する上記提供対象の上記コンテンツデータに対する上記コンテンツ名と、アーティスト名と、当該提供対象の上記コンテンツデータの提供元を示すネットワーク上のアドレスとを互いに対応付けて含む上記コンテンツ属性情報を受信し、
上記提示画像生成手段は、
上記通信手段から与えられた上記コンテンツ属性情報を上記データベース登録読出制御手段に与えることにより当該データベース登録読出制御手段により上記内蔵記憶媒体内の上記データベースに対して上記コンテンツ属性情報が登録された後、上記検索キーを上記データベース登録読出制御手段に与え、
上記データベース登録読出制御手段は、
上記内蔵記憶媒体内の上記データベースに対し、上記提示画像生成手段から与えられた上記コンテンツ属性情報を登録した後、当該提示画像生成手段から与えられた上記検索キーに基づいて、制御対象の上記内蔵記憶媒体に記憶された、当該検索キーに対応する上記コンテンツデータの上記コンテンツ名を検出し、当該検出したコンテンツ名を上記コンテンツ属性情報に含まれる上記コンテンツ名と共に上記提示画像生成手段に通知する
ことを特徴とする請求項３に記載のコンテンツ提示装置。
【請求項５】
上記通信手段は、
上記コンテンツ提供装置に上記検索キーを送信した結果、当該コンテンツ提供装置から送信された、当該検索キーに対応する提供対象の上記コンテンツデータに対する上記コンテンツ名と、アーティスト名と、当該提供対象の上記コンテンツデータの提供元を示すネットワーク上のアドレスとを互いに対応付けて含む上記コンテンツ属性情報を受信して上記提示画像生成手段に引き渡し、
上記コンテンツ提示画像内の上記リストに含まれる、上記アドレスに対応付けられた上記コンテンツ名が選択されると、当該選択されたコンテンツ名に対応付けられた上記アドレスにアクセスし、当該アドレスの示す上記提供元からストリーミング形式で送信される、上記選択された上記コンテンツ名の示す上記コンテンツデータの一部又は全てを受信する
ことを特徴とする請求項３に記載のコンテンツ提示装置。
【請求項６】
上記通信手段は、
上記コンテンツ提供装置に上記検索キーを送信した結果、当該コンテンツ提供装置から送信された、当該検索キーに対応する提供対象の上記コンテンツデータに対する上記コンテンツ名と、アーティスト名と、当該提供対象の上記コンテンツデータの提供元を示すネットワーク上のアドレスとを互いに対応付けて含む上記コンテンツ属性情報を受信して上記提示画像生成手段に引き渡し、
上記コンテンツ提示画像内の上記リストに含まれる、上記アドレスに対応付けられた上記コンテンツ名が選択されると共に当該選択された上記コンテンツ名の示す上記コンテンツデータの購入が要求されると、上記選択された上記コンテンツ名に対応付けられた上記アドレスの示すコンテンツ購入ページにアクセスして、当該選択された上記コンテンツ名の示す上記コンテンツデータをダウンロードし、
上記データベース登録読出制御手段は、
上記通信手段によって上記ダウンロードされた上記コンテンツデータを上記内蔵記憶媒体に記憶すると共に、当該内蔵記憶媒体内の上記データベースに対し、当該ダウンロードされた上記コンテンツデータに対する少なくとも上記コンテンツ名と、上記アーティスト名と、上記内蔵記憶媒体に対する記憶アドレスとを登録する
ことを特徴とする請求項３に記載のコンテンツ提示装置。
【請求項７】
上記外部記憶媒体再生制御手段が上記外部記憶媒体に対してアクセス可能か否かを検出する検出手段
を具え、
上記提示画像生成手段は、
上記検出手段により上記外部記憶媒体再生制御手段が上記外部記憶媒体に対してアクセス可能であると検出されると、当該外部記憶媒体再生制御手段に上記検索キーを送出する
ことを特徴とする請求項１に記載のコンテンツ提示装置。
【請求項８】
上記外部記憶媒体再生制御手段は、
上記外部記憶媒体の管理領域に記憶された管理データを再生し、当該再生した上記管理データに基づいて上記外部記憶媒体を判別するための記憶媒体判別情報を生成し、当該生成した上記記憶媒体判別情報に基づいて、上記内蔵記憶媒体、又は広域ネットワークを介して接続された媒体情報提供装置から、上記外部記憶媒体に記憶されている上記コンテンツデータを特定可能な媒体情報を取得する
ことを特徴とする請求項１に記載のコンテンツ提示装置。
【請求項９】
上記外部記憶媒体再生制御手段は、
上記提示画像生成手段から与えられた上記検索キーに基づいて制御対象の上記外部記憶媒体の上記媒体情報を検索することにより当該外部記憶媒体に記憶された、上記検索キーに対応する上記コンテンツデータの上記コンテンツ名を検出し、当該検出したコンテンツ名を上記提示画像生成手段に通知する
ことを特徴とする請求項８に記載のコンテンツ提示装置。
【請求項１０】
所望の種類に属するコンテンツデータを検索するための検索キーに基づいて、１又は複数の上記コンテンツデータが記憶された制御対象の内蔵記憶媒体に記憶された、上記検索キーに対応する上記コンテンツデータの上記コンテンツ名を検出すると共に、１又は複数の上記コンテンツデータが記憶された制御対象の外部記憶媒体に記憶された、当該検索キーに対応する上記コンテンツデータの上記コンテンツ名を検出するコンテンツ名検出ステップと、
上記検出された、上記検索キーに対応する上記コンテンツデータの上記コンテンツ名のリストを含むコンテンツ提示画像を生成する提示画像生成ステップと
を具えることを特徴とするコンテンツ提示方法。
【請求項１１】
情報処理装置に対して、
所望の種類に属するコンテンツデータを検索するための検索キーに基づいて、１又は複数の上記コンテンツデータが記憶された制御対象の内蔵記憶媒体に記憶された、上記検索キーに対応する上記コンテンツデータの上記コンテンツ名を検出すると共に、１又は複数の上記コンテンツデータが記憶された制御対象の外部記憶媒体に記憶された、当該検索キーに対応する上記コンテンツデータの上記コンテンツ名を検出するコンテンツ名検出ステップと、
上記検出された、上記検索キーに対応する上記コンテンツデータの上記コンテンツ名のリストを含むコンテンツ提示画像を生成する提示画像生成ステップと
を実行させるためのコンテンツ提示プログラム。
【発明の詳細な説明】
【技術分野】
【０００１】
本発明はコンテンツ提示装置に関し、例えばネットワーク上で提供されている音楽に関する各種サービスを受けることのできるクライアント端末で音楽データを再生する場合に適用して好適なものである。
【背景技術】
【０００２】
従来のラジオ受信部、ＣＤ（Compact Disc）再生部、ＭＤ（Mini Disc 登録商標）再生部及びカセットテープレコーダ一体型記録再生装置には、ＣＤ再生部、ＭＤ再生部、テープ記録再生部の動作が選択されていることを示し、ＣＤ、ＭＤ及びカセットテープに対する再生ボタンを兼用する各種ファンクションボタンが配置されている。
【０００３】
そしてラジオ受信部、ＣＤ再生部、ＭＤ再生部及びカセットテープレコーダ一体型記録再生装置は、ファンクションボタンが任意に選択されて押下されると、当該押下されたファンクションボタンに対応するＣＤ再生部、ＭＤ再生部又はテープ記録再生部を動作させてＣＤ、ＭＤ又はカセットテープから音楽データを再生していた（例えば、特許文献１参照）。
【特許文献１】特開２００１−２５０３６９公報（第３頁、図１、図８）
【発明の開示】
【発明が解決しようとする課題】
【０００４】
ところがかかる構成のラジオ受信部、ＣＤ再生部、ＭＤ再生部及びカセットテープレコーダ一体型記録再生装置は、ＣＤ、ＭＤ及びカセットテープのような各種記憶媒体を再生等に利用可能としている。
【０００５】
このためラジオ受信部、ＣＤ再生部、ＭＤ再生部及びカセットテープレコーダ一体型記録再生装置は、音楽データを再生する場合、ユーザに対し個々の記憶媒体（ＣＤ、ＭＤ及びカセットテープ）に記憶されている音楽データをわざわざ確認させなければ、所望の音楽データを容易には選択させ難いという問題があった。
【０００６】
本発明は以上の点を考慮してなされたもので、所望のコンテンツデータを容易に選択させ得るコンテンツ提示装置を提案しようとするものである。
【課題を解決するための手段】
【０００７】
かかる課題を解決するため本発明においては、コンテンツ提示装置において、提示画像生成手段から所望の種類に属するコンテンツデータを検索するための同一の検索キーを、１又は複数のコンテンツデータが記憶された内蔵記憶媒体内に構築されたデータベースに対して登録及び読み出しを制御するデータベース登録読出制御手段と、１又は複数のコンテンツデータが記憶された外部記憶媒体に対して再生を制御する外部記憶媒体再生制御手段との双方に送出することで、当該データベース登録読出制御手段により検索キーに基づいて、制御対象の内蔵記憶媒体に記憶された、その検索キーに対応するコンテンツデータのコンテンツ名を検出し、当該検出したコンテンツ名を提示画像生成手段に通知すると共に、外部記憶媒体再生制御手段でも同様に検索キーに基づいて、制御対象の外部記憶媒体に記憶された、その検索キーに対応するコンテンツデータのコンテンツ名を検出し、当該検出したコンテンツ名を提示画像生成手段に通知し、提示画像生成手段によりデータベース登録読出制御手段及び外部記憶媒体再生制御手段から通知された、検索キーに対応するコンテンツデータのコンテンツ名のリストを含むコンテンツ提示画像を生成するようにした。
【０００８】
従ってコンテンツ提示装置では、内蔵記憶媒体及び外部記憶媒体に記憶されているコンテンツデータをわざわざ確認させるような煩雑な作業を何ら必要とせず、コンテンツ提示画像を介して、これら内蔵記憶媒体及び外部記憶媒体に記憶されている所望の種類に属するコンテンツデータのコンテンツ名を容易に提示することができる。
【発明の効果】
【０００９】
本発明によれば、提示画像生成手段から所望の種類に属するコンテンツデータを検索するための同一の検索キーを、１又は複数のコンテンツデータが記憶された内蔵記憶媒体内に構築されたデータベースに対して登録及び読み出しを制御するデータベース登録読出制御手段と、１又は複数のコンテンツデータが記憶された外部記憶媒体に対して再生を制御する外部記憶媒体再生制御手段との双方に送出することで、当該データベース登録読出制御手段によりその検索キーに基づいて、制御対象の内蔵記憶媒体に記憶された、当該検索キーに対応するコンテンツデータのコンテンツ名を検出して提示画像生成手段に通知すると共に、外部記憶媒体再生制御手段でも同様にその検索キーに基づいて、制御対象の外部記憶媒体に記憶された、当該検索キーに対応するコンテンツデータのコンテンツ名を検出して提示画像生成手段に通知し、提示画像生成手段によりデータベース登録読出制御手段及び外部記憶媒体再生制御手段から通知された、検索キーに対応するコンテンツデータのコンテンツ名のリストを含むコンテンツ提示画像を生成するようにしたことにより、内蔵記憶媒体及び外部記憶媒体に記憶されているコンテンツデータをわざわざ確認させるような煩雑な作業を何ら必要とせず、コンテンツ提示画像を介して、これら内蔵記憶媒体及び外部記憶媒体に記憶されている所望の種類に属するコンテンツデータのコンテンツ名を容易に提示することができ、かくして所望のコンテンツデータを容易に選択させることができる。
【発明を実施するための最良の形態】
【００１０】
以下図面について、本発明の一実施の形態を詳述する。
【００１１】
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ６とを有している。
【００１２】
この実施の形態の場合、音楽データ配信サーバＳＶ１は、ＡＴＲＡＣ３（Adaptive Transform Acoustic Coding 3）、ＡＡＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。
【００１３】
また物販サーバＳＶ２は、ＣＤ（Compact Disc）やＤＶＤ（Digital Versatile Disc）等をクライアント端末２を介してユーザに販売する物販サービスを提供する。
【００１４】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００１５】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００１６】
さらにディスク情報提供サーバＳＶ５は、個々のＣＤに関する、当該ＣＤに音楽データとして記憶されている楽曲の曲名や演奏時間、アーティスト名、アルバム名等の楽曲を特定可能なディスク情報を、ＣＤデータベースに登録しておいてクライアント端末２に提供するディスク情報提供サービスを提供する。
【００１７】
これに加えて課金サーバＳＶ６は、ポータルサーバ３等からの要求に応じてユーザに対し様々な料金を課すための課金処理を実行するようになされている。
【００１８】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００１９】
入力処理部２１は、操作入力部２０から与えられる操作入力信号を特定の操作コマンドに変換しバス２２を介して制御部２３に送出する。
【００２０】
制御部２３は、バス２２を介して接続された各回路から与えられる操作コマンドや制御信号に基づいてこれら各回路の動作を制御する。
【００２１】
表示制御部２４は、バス２２を介して供給される映像データに対してディジタルアナログ変換処理を施し、その結果得られるアナログ映像信号を表示部２５に送出する。
【００２２】
表示部２５は、例えば液晶ディスプレイ等の表示デバイスであって、筐体表面に直接取り付けられている場合や外付けされている場合がある。
【００２３】
そして表示部２５は、制御部２３による処理結果や各種映像データが表示制御部２４を介してアナログ映像信号として供給されると、当該アナログ映像信号に基づく映像を表示する。
【００２４】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００２５】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００２６】
外部記録媒体記録再生部２８は、外部記録媒体からコンテンツデータとして映像データを読み出したとき、当該読み出した映像データをバス２２を介して表示制御部２４に供給する。
【００２７】
これにより表示制御部２４は、外部記録媒体記録再生部２８により外部記録媒体からコンテンツデータとして読み出された映像データをアナログ映像信号に変換して表示部２５に供給する。
【００２８】
また外部記録媒体記録再生部２８は、外部記録媒体からコンテンツデータとして音声データを読み出したとき、当該読み出した音声データをバス２２を介して音声制御部２６に供給する。
【００２９】
これにより音声制御部２６は、外部記録媒体記録再生部２８により外部記録媒体からコンテンツデータとして読み出された音声データをアナログ音声信号に変換してスピーカ２７に供給する。
【００３０】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３１】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３２】
また制御部２３は、記憶媒体２９からコンテンツデータとしてオーディオデータ等の音声データを読み出したときには、当該読み出した音声データをバス２２を介して音声制御部２６に供給する。
【００３３】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００３４】
放送信号受信部３０は、各ラジオ局から送信されるラジオ放送波を受信し、チューナ部３１に供給する。
【００３５】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００３６】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００３７】
また制御部２３は、チューナ部３１で得られた音声データを記憶媒体２９に送出して記憶することにより、ラジオ番組の番組音声を録音することもできる。
【００３８】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種情報や各種データを送受信する。
【００３９】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４０】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４１】
これによりエンコーダ／デコーダ部３４で圧縮符号化されたコンテンツデータは、制御部２３の制御のもと記憶媒体２９に記憶される。
【００４２】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４３】
著作権管理部３５で生成された著作権管理情報は、制御部２３の制御のもとにコンテンツデータと対応付けられて記憶媒体２９に登録される。
【００４４】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００４５】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００４６】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００４７】
認証情報記憶部３８は、認証処理部３７がポータルサーバ３やその他サーバＳＶ１乃至ＳＶ４に対しアクセスするときに必要となる認証情報を記憶する。
【００４８】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００４９】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５０】
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
【００５１】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００５２】
このようなコンテンツデータについてのディレクトリ管理は、記憶媒体２９に記憶されているデータベースファイルによって行われる。
【００５３】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
【００５４】
通信制御部５２は、制御部５０の制御のもと、ネットワークインタフェース５３を介してクライアント端末２やその他サーバＳＶ１乃至ＳＶ６と各種情報を送受信する。
【００５５】
顧客データベース部５４には、音楽関連サービス提供システム１の運営業者とすでに契約を完了しているユーザのユーザＩＤ（Identification）情報とパスワード情報とが対応付けられて顧客情報として登録されている。
【００５６】
ページ情報記憶部５５には、音楽関連サービス提供システム１の運営業者が管理するページ情報等が記憶されている。
【００５７】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００５８】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００５９】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００６０】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００６１】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００６２】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００６３】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００６４】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００６５】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００６６】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
【００６７】
通信制御部７２は、制御部７０の制御のもと、ネットワークインタフェース７３を介してクライアント端末２やポータルサーバ３等と各種情報や、コンテンツデータ等の各種データを送受信する。
【００６８】
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００６９】
ページ情報記憶部７６には、音楽データ配信サーバＳＶ１が管理する、ダウンロード可能な音楽データを紹介する音楽データ配信用のページ情報等が記憶されている。
【００７０】
因みに音楽データ配信用のページ情報は、ＸＭＬ等の言語によって記述されており、クライアント端末２を利用するユーザに対してダウンロードを希望する音楽データを選択させることができる。
【００７１】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００７２】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００７３】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００７４】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００７５】
このようにして認証処理部７５は、ユーザ認証処理が終了すると、そのユーザ認証処理の結果を示したサーバ認証結果情報（後述するサービスセッションＩＤ情報）を発行する。
【００７６】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００７７】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００７８】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００７９】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００８０】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００８１】
そして検索部７９は、かかる検索キーに基づいて、音楽データ記憶部７８内の複数の音楽データの中から当該検索キーの示す検索条件に該当するダウンロード希望の音楽データを検索する。
【００８２】
これにより制御部７０は、その検索されたダウンロード希望の音楽データを通信制御部７２及びネットワークインタフェース７３を順次介してクライアント端末２に送信する。
【００８３】
また制御部７０は、このときクライアント端末２への音楽データのダウンロードに伴うユーザに対する課金処理用の課金情報を通信制御部７２及びネットワークインタフェース７３を順次介して課金サーバＳＶ６に送信することにより、課金サーバＳＶ６に対し当該ユーザに対する音楽データのダウンロードに応じた課金処理を実行させる。
【００８４】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
【００８５】
通信制御部９２は、制御部９０の制御のもと、ネットワークインタフェース９３を介してクライアント端末２やポータルサーバ３等と各種情報を送受信する。
【００８６】
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００８７】
ページ情報記憶部９６には、物販サーバＳＶ２が管理する、販売対象のＣＤやＤＶＤ等のパッケージメディアを紹介するパッケージメディア販売用のページ情報等が記憶されている。
【００８８】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【００８９】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００９０】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【００９１】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【００９２】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【００９３】
このようにして認証処理部９５は、ユーザ認証処理が終了すると、そのユーザ認証処理の結果を示したサーバ認証結果情報（後述するサービスセッションＩＤ情報）を発行する。
【００９４】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【００９５】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【００９６】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【００９７】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【００９８】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【００９９】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１００】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１０１】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１０２】
また制御部９０は、特定のパッケージメディアの購入に伴うユーザに対する課金処理用の課金情報を通信制御部９２及びネットワークインタフェース９３を順次介して課金サーバＳＶ６に送信することにより、課金サーバＳＶ６に対し当該ユーザに対する特定のパッケージメディアの購入に応じた課金処理を実行させる。
【０１０３】
さらに制御部９０は、課金サーバＳＶ６によるユーザに対する課金処理が完了すると、パッケージメディアの購入処理が完了したことを示す購入完了ページ情報を通信制御部９２及びネットワークインタフェース９３を順次介してクライアント端末２に送信する。
【０１０４】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
【０１０５】
通信制御部１１２は、制御部１１０の制御のもと、ネットワークインタフェース１１３を介してクライアント端末２やポータルサーバ３等と各種情報を送受信する。
【０１０６】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１０７】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
【０１０８】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１０９】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１１０】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１１１】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１１２】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１１３】
これにより制御部１１０は、その検索された取得希望のオンエアリスト情報を通信制御部１１２及びネットワークインタフェース１１３を順次介してクライアント端末２に送信する。
【０１１４】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１１５】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１１６】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１１７】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１１８】
このようにして認証処理部１１５は、ユーザ認証処理が終了すると、そのユーザ認証処理の結果を示したサーバ認証結果情報（後述するサービスセッションＩＤ情報）を発行する。
【０１１９】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１２０】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１２１】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１２２】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１２３】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１２４】
（１−７−１）クライアント端末２及びポータルサーバ３間のユーザ認証処理手順
まず図８を用いて、クライアント端末２とポータルサーバ３との間で実行されるユーザ認証処理手順について説明する。
【０１２５】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１２６】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１２７】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１２８】
なおかかる認証セッションＩＤ情報については、ユーザ認証処理等に利用するうえで、ポータルサーバ３による発行時点を基準とした所定の有効期限（例えば１分程度）が設定されている。
【０１２９】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１３０】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１３１】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１３２】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１３３】
そして認証処理部５６は、制御部５０の制御のもと、クライアント端末２から接続要求信号として受信された認証セッションＩＤ情報等に基づいてユーザ認証処理を実行する。
【０１３４】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１３５】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１３６】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１３７】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１３８】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１３９】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１４０】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１４１】
そして認証処理部３７は、制御部２３の制御のもとに、ポータルサーバ３から受信されたその認証セッションＩＤ情報等を認証情報記憶部３８に一時記憶する。
【０１４２】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１４３】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１４４】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１４５】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１４６】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１４７】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１４８】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１４９】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１５０】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１５１】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【０１５２】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１５３】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１５４】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１５５】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１５６】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１５７】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１５８】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１５９】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１６０】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１６１】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１６２】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１６３】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１６４】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１６５】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１６６】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１６７】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１６８】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１６９】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１７０】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１７１】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１７２】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１７３】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１７４】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１７５】
そして制御部５０は、認証処理部５６により、クライアント端末２を利用するユーザが正規ユーザであると認証されると、後述するステップＳＰ１８に移る。
【０１７６】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１７７】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１７８】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１７９】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１８０】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１８１】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１８２】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１８３】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０１８４】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１８５】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０１８６】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０１８７】
そして制御部５０は、認証処理部５６により、クライアント端末２を利用するユーザが正規ユーザであると認証されると、次のステップＳＰ１８に移る。
【０１８８】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０１８９】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０１９０】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０１９１】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０１９２】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０１９３】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０１９４】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０１９５】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０１９６】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０１９７】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０１９８】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０１９９】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２００】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２０１】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２０２】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２０３】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２０４】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２０５】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２０６】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２０７】
そして制御部７０は、認証処理部７５により、クライアント端末２を利用するユーザが正規ユーザであると認証されると、次のステップＳＰ２５に移る。
【０２０８】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２０９】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２１０】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２１１】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２１２】
またページ情報生成部３６は、音楽データ配信用のページ情報に基づく映像データを生成し、当該生成した映像データを表示制御部２４に送出する。
【０２１３】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２１４】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２１５】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【０２１６】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２１７】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２１８】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２１９】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２２０】
その結果、制御部７０は、認証処理部７５により、クライアント端末２を利用して音楽データのダウンロードを要求したユーザが正規ユーザであると認証されると、次のステップＳＰ３２に移る。
【０２２１】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２２２】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２２３】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２２４】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２２５】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２２６】
このようにしてクライアント端末２は、音楽データ配信サーバＳＶ１の提供している音楽データ配信サービスを利用して、ユーザにより取得の希望された音楽データをダウンロードすることができる。
【０２２７】
（１−７−３−２）物販サービス提供処理手順
次に図１１を用いてクライアント端末２が、物販サーバＳＶ２から物販サービスの提供を受ける際の物販サービス提供処理手順について説明する。
【０２２８】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２２９】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２３０】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２３１】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２３２】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２３３】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２３４】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２３５】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２３６】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２３７】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２３８】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２３９】
このようにして制御部２３は、表示部２５に対しそのアナログ映像信号に基づく映像としてパッケージメディア情報を表示させると、次のステップＳＰ４５に移る。
【０２４０】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２４１】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２４２】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２４３】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４４】
その結果、制御部９０は、認証処理部９５により、クライアント端末２を利用してパッケージメディアの購入を要求したユーザが正規ユーザであると認証されると、次のステップＳＰ４７に移る。
【０２４５】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ６に送信することにより、その課金サーバＳＶ６に対し当該ユーザに対するパッケージメディアの購入に応じた課金処理を実行させる。
【０２４６】
また制御部９０は、認証処理部９５により、クライアント端末２に対し発行していたサービスセッションＩＤ情報等の有効期限を延長させる。
【０２４７】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２４８】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２４９】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５０】
またページ情報生成部３６は、制御部２３から与えられた購入完了ページ情報に基づく映像データを生成し、当該生成した映像データを表示制御部２４によりアナログ映像信号に変換して表示部２５に送出する。
【０２５１】
これにより制御部２３は、表示部２５に対しそのアナログ映像信号に基づく映像として購入完了ページを表示させる。
【０２５２】
このようにしてクライアント端末２は、物販サーバＳＶ２の提供している物販サービスを利用して、ユーザに対して所望のパッケージメディアを購入させることができる。
【０２５３】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２５４】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２５５】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２５６】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２５７】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２５８】
その結果、制御部１１０は、認証処理部１１５により、クライアント端末２を利用してオンエアリスト情報を要求したユーザが正規ユーザであると認証されると、次のステップＳＰ６２に移る。
【０２５９】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２６０】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２６１】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２６２】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２６３】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６４】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２６５】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２６６】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２６７】
ただしナウオンエア情報を提供するラジオ放送情報配信サーバＳＶ３は、ラジオ局（コールサイン）毎に設けられている。
【０２６８】
そしてクライアント端末２には、初期状態において、各ラジオ局に対応するラジオ放送情報配信サーバＳＶ３のＵＲＬ情報が記憶されていない場合がある。
【０２６９】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２７０】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０２７１】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２７２】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２７３】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２７４】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２７５】
そして制御部５０は、このように認証処理部５６によりユーザが正規ユーザであると認証されると、次のステップＳＰ７２に移る。
【０２７６】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２７７】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２７８】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２７９】
これにより認証処理部３７は、制御部２３の制御のもと、ポータルサーバ３から受信された認証セッションＩＤ情報等を認証情報記憶部３８に一時記憶する。
【０２８０】
また表示制御部２４は、制御部２３から与えられた周波数情報、ラジオ局名及びコールサインのリストを表示部２５に送出することにより当該表示部２５に対しそのリストを表示させる。
【０２８１】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２８２】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０２８３】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０２８４】
従って音声制御部２６は、チューナ部３１から与えられる音声データをアナログ音声信号に変換してスピーカ２７に送出することにより当該スピーカ２７から、選択されたラジオ番組の音声を出力させることができる。
【０２８５】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０２８６】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０２８７】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０２８８】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０２８９】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０２９０】
また制御部５０は、認証処理部５６により、クライアント端末２に対し発行していた認証セッションＩＤ情報等の有効期限を延長させる。
【０２９１】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０２９２】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０２９３】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０２９４】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０２９５】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２９６】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。
【０２９７】
従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０２９８】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２９９】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３００】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３０１】
その結果、認証処理部１１５は、クライアント端末２を利用するユーザを正規ユーザであると認証すると、当該クライアント端末２からのナウオンエア情報の取得要求が正当な要求であると判断する。
【０３０２】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３０３】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３０４】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３０５】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３０６】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３０７】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３０８】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３０９】
（１−８）クライアント端末２のハードウェア回路ブロック構成
（１−８−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０３１０】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３１１】
入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０３１２】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０３１３】
ディスプレイ２０６は、例えば液晶ディスプレイ等の表示デバイスであって、筐体表面に直接取り付けられている場合や外付けされている場合がある。
【０３１４】
そしてディスプレイ２０６は、ＣＰＵ２０３による処理結果や各種映像データが表示処理部２０７を介してアナログ映像信号として供給されると、当該アナログ映像信号に基づく映像を表示する。
【０３１５】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３１６】
そしてメディアドライブ２０８は、ＣＤやメモリスティックからコンテンツデータとして映像データを読み出したときには、当該再生した映像データをバス２０２を介して表示処理部２０７に供給する。
【０３１７】
またメディアドライブ２０８は、ＣＤやメモリスティックからコンテンツデータとして音声データを読み出したときには、当該再生した音声データを音声処理部２０９に供給する。
【０３１８】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３１９】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３２０】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３２１】
因みにＣＰＵ２０３は、ハードディスクドライブ２１１に対して記憶したコンテンツデータを、図３について上述したディレクトリ構成で管理している。
【０３２２】
そしてＣＰＵ２０３は、ハードディスクドライブ２１１に記憶したコンテンツファイルを当該ハードディスクドライブ２１１からコンテンツデータとして読み出すこともできる。
【０３２３】
なおＣＰＵ２０３は、ハードディスクドライブ２１１からコンテンツデータとして映像データを読み出したときには、当該読み出した映像データをバス２０２を介して表示処理部２０７に供給する。
【０３２４】
またＣＰＵ２０３は、ハードディスクドライブ２１１からコンテンツデータとして音声データを読み出したときには、当該読み出した音声データを音声処理部２０９に供給する。
【０３２５】
アンテナ２１２は、各ラジオ局から送信されてくるラジオ放送波を受信し、これをＡＭ／ＦＭチューナでなるチューナ２１３に送出する。
【０３２６】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３２７】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３２８】
またＣＰＵ２０３は、チューナ２１３で得られた音声データをハードディスクドライブ２１１に送出して記録することにより、ラジオ番組の番組音声を録音することもできる。
【０３２９】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種データを送受信することができる。
【０３３０】
ここでＣＤについては、データ記憶面に音楽データ記憶領域と管理データ記憶領域とが設けられている。その音楽データ記憶領域には、１又は複数の音楽データが記憶されている。また管理データ記憶領域には、音楽データ記憶領域に記憶されている音楽データを管理するための、個々の音楽データに対する再生時間（すなわち、個々の楽曲の演奏時間）や、再生の順番、音楽データ記憶領域における再生開始位置等のＴＯＣ（Table Of Contents ）と呼ばれる管理データが記憶されている。
【０３３１】
従ってＣＰＵ２０３は、例えば上述のようにＣＤから読み出した音楽データをハードディスクドライブ２１１のハードディスクに記憶するときには、メディアドライブ２０８でそのＣＤから管理データを読み出す。そしてＣＰＵ２０３は、その管理データに基づいて、ＣＤを判別するためのＣＤ判別情報を生成する。そしてＣＰＵ２０３は、かかるＣＤ判別情報を、通信処理部２１４及びネットワークインタフェース２１５を順次介してネットワークＮＴ経由でディスク情報提供サーバＳＶ５に送信する。
【０３３２】
これによりＣＰＵ２０３は、ディスク情報提供サーバＳＶ５からそのＣＤ判別情報に対応するディスク情報がネットワークＮＴ経由で送信されると、これをネットワークインタフェース２１５及び通信処理部２１４を順次介して受信する。そしてＣＰＵ２０３は、そのディスク情報を、ハードディスク内に予め構築している楽曲管理データベースに登録する。
【０３３３】
そしてＣＰＵ２０３は、楽曲管理データベースに登録したディスク情報については、当該ディスク情報で特定可能なハードディスク内の音楽データ（すなわち、ＣＤから読み出されてハードディスクにすでに記憶している音楽データ）に対応付ける。これによりＣＰＵ２０３は、そのディスク情報に従ってユーザに対し、ハードディスクに記憶した音楽データに基づく楽曲の曲名やアーティスト名、その楽曲が含まれるアルバムのアルバム名等を提示し得るようになされている。
【０３３４】
これに加えてＣＰＵ２０３は、外部機器インタフェース２１６を介して、クライアント端末２に接続されたＭＤ（Mini Disc 登録商標）プレーヤ等の外部記憶再生装置（図示せず）にアクセスすることができる。従ってＣＰＵ２０３は、ハードディスクドライブ２１１のハードディスクに記憶したコンテンツファイルを音楽データ等のコンテンツデータとして読み出して外部機器インタフェース２１６から外部記憶再生装置に送信することにより、その外部記憶再生装置においてＭＤ等の記憶媒体に当該コンテンツデータを記憶し得るようにもなされている。
【０３３５】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ５との間でやりとりを行う。
【０３３６】
ＨＴＴＰ(Hyper Text Transfer Protocol)メッセージプログラム２４０は、ポータルサーバ３やその他サーバＳＶ１乃至ＳＶ５との間のやりとりをＨＴＴＰ通信で行うものであり、コミュニケータプログラム２４１は、ＨＴＴＰメッセージプログラム２４０とデータのやりとりを行うプログラムモジュールである。
【０３３７】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３３８】
インターネットラジオ選局再生モジュール２４４と、楽曲購入再生モジュール２４５とにより再生された音声データは、音声処理部２０９に転送されることにより、最終的にスピーカ２１０から音声として出力される。
【０３３９】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３４０】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３４１】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３４２】
さらにコミュニケータプログラム２４１の上位には、データベースアクセスモジュール２４９、コンテンツデータアクセスモジュール２５０及びハードディスクコンテンツコントローラ２４７が位置する。
【０３４３】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３４４】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３４５】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３４６】
またチューナ選局再生／録音モジュール２５２により再生されたコンテンツデータとしての音声データは、音声処理部２０９に転送されることにより、最終的にスピーカ２１０から音声として出力される。
【０３４７】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３４８】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３４９】
ＣＤ再生モジュール２５４は、メディアドライブ２０８に対してＣＤを再生するように制御する。
【０３５０】
そしてＣＤ再生モジュール２５４によりＣＤから再生された音声データは、音声処理部２０９に転送されることにより、最終的にスピーカ２１０から音声として出力される。
【０３５１】
ＨＤＤ再生モジュール２５５は、図示はしていないが、ハードディスクコンテンツコントローラ２４７及び著作権保護管理モジュール２４３と接続されている。
【０３５２】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３５３】
またＨＤＤ再生モジュール２５５により著作権管理情報に従って再生された音声データ（音楽データ）は、外部機器インタフェース２１６を介して外部記憶再生装置に転送されることにより、当該外部記憶再生装置おいて例えばＭＤに記憶される。
【０３５４】
そしてＨＤＤ再生モジュール２５５により著作権管理情報に従って再生された音声データは、音声処理部２０９に転送されることにより、最終的にスピーカ２１０から音声として出力される。
【０３５５】
リッピングモジュール２５６は、図示はしていないが、ハードディスクコンテンツコントローラ２４７及び著作権保護管理モジュール２４３と接続されている。
【０３５６】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶させる（すなわち、リッピングさせる）ように、ＣＤ再生モジュール２５４、著作権保護管理モジュール２４３及びハードディスクコンテンツコントローラ２４７を制御する。
【０３５７】
ＭＤ再生モジュール２５７は、外部記憶再生装置に対してＭＤを再生するように制御する。
【０３５８】
これによりＭＤ再生モジュール２５７により外部記憶再生装置のＭＤから再生された音声データ（音楽データ）は、外部機器インタフェース２１６を介して音声処理部２０９に転送されることにより、最終的にスピーカ２１０から音声（音楽）として出力される。
【０３５９】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３６０】
またコンテンツ再生モジュール２４２は、図２について上述したクライアント端末２のエンコーダ／デコーダ部３４と同様の機能を実現可能なプログラムモジュールである。
【０３６１】
さらに著作権保護管理モジュール２４３は、図２について上述したクライアント端末２の著作権管理部３５と同様の機能を実現可能なプログラムモジュールである。
【０３６２】
さらにインターネットラジオ選局再生モジュール２４４は、図２について上述したクライアント端末２の制御部２３及び音声制御部２６と同様の機能を実現可能なプログラムモジュールである。
【０３６３】
さらに楽曲購入再生モジュール２４５は、図２について上述したクライアント端末２の制御部２３及び音声制御部２６と同様の機能を実現可能なプログラムモジュールである。
【０３６４】
さらにＸＭＬブラウザ２４６は、図２について上述したクライアント端末２の入力処理部２１及びページ情報生成部３６と同様の機能を実現可能なプログラムモジュールである。
【０３６５】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３６６】
さらにライブラリ２４８の認証ライブラリ２４８Ａは、図２について上述したクライアント端末２の認証処理部３７及び認証情報記憶部３８と同様の機能を実現可能なプログラムモジュールである。
【０３６７】
さらにライブラリ２４８のクリップライブラリ２４８Ｂは、図２について上述したクライアント端末２の制御部２３と同様の機能を実現可能なプログラムモジュールである。
【０３６８】
さらにラジオ放送情報表示モジュール２５１は、図２について上述したクライアント端末２のラジオ放送表示制御部３９と同様の機能を実現可能なプログラムモジュールである。
【０３６９】
さらにチューナ選局再生／録音モジュール２５２は、図２について上述したクライアント端末２の制御部２３及び音声制御部２６並びにチューナ部３１と同様の機能を実現可能なプログラムモジュールである。
【０３７０】
さらにオーディオユーザインタフェース２５３は、図２について上述したクライアント端末２の入力処理部２１及び制御部２３並びに表示制御部２４と同様の機能を実現可能なプログラムモジュールである。
【０３７１】
さらにＣＤ再生モジュール２５４は、図２について上述したクライアント端末２の音声制御部２６及び外部記録媒体記録再生部２８と同様の機能を実現可能なプログラムモジュールである。
【０３７２】
さらにＨＤＤ再生モジュール２５５は、図２について上述したクライアント端末２の制御部２３及び音声制御部２６と同様の機能を実現可能なプログラムモジュールである。
【０３７３】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３７４】
さらにＭＤ再生モジュール２５７は、図２について上述したクライアント端末２の音声制御部２６及び外部記録媒体記録再生部２８と同様の機能を実現可能なプログラムモジュールである。
【０３７５】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３７６】
またハードウェア回路ブロックによるハードウェア構成のクライアント端末２は、後述する楽曲提示処理を実現可能である。
【０３７７】
そして機能ブロックによるハードウェア構成のクライアント端末２は、各機能ブロックがそれぞれハードウェア回路ブロックによるハードウェア構成のクライアント端末２に実装されているプログラムモジュールで実現可能な機能を網羅していることにより、かかるハードウェア回路ブロックによるハードウェア構成のクライアント端末２と同様に後述の楽曲提示処理を実現することができる。
【０３７８】
（１−９）ポータルサーバ３の構成
次に、図１６を用いてポータルサーバ３のハードウェア回路ブロックによるハードウェア構成を説明する。ポータルサーバ３は、全体を統括的に制御するＣＰＵ３００が、ＲＯＭ３０１又はハードディスクドライブ３０２に記憶されている基本プログラムやコンテンツ記録保持支援プログラム等の各種プログラムを、バス３０３を介してＲＡＭ３０４に適宜展開しこれを実行することにより、ユーザ認証処理等の各種処理を行う。
【０３７９】
この場合、ＣＰＵ３００は、ハードディスクドライブ３０２のハードディスク内に予め構築した顧客データベースに対して、音楽関連サービス提供システム１の利用が許可されたユーザのユーザＩＤ情報及びパスワード情報を対応付けて顧客情報として登録している。
【０３８０】
ＣＰＵ３００は、ユーザによる音楽に関する各種サービスの利用に応じてクライアント端末２から送信されたユーザＩＤ情報及びパスワード情報をネットワークインタフェース３０５を介して受信すると、そのユーザＩＤ情報及びパスワード情報に基づいてハードディスク内の顧客データベースにすでに登録している顧客情報を検索するようにしてユーザ認証処理を実行する。
【０３８１】
その結果ＣＰＵ３００は、かかるユーザ認証処理を終了すると、そのユーザ認証処理の結果を示したポータル認証結果情報を生成し、これをネットワークインタフェース３０５を介してクライアント端末２に送信する。
【０３８２】
（１−１０）音楽データ配信サーバＳＶ１の構成
次に、図１７を用いて音楽データ配信サーバＳＶ１のハードウェア回路ブロックによるハードウェア構成を説明する。音楽データ配信サーバＳＶ１は、全体を統括的に制御するＣＰＵ３１０が、ＲＯＭ３１１又はハードディスクドライブ３１２に記憶されている基本プログラムやデータ配信プログラム等の各種プログラムを、バス３１３を介してＲＡＭ３１４に適宜展開しこれを実行することにより、クライアント端末２に対して音楽データを配信するための処理を行う。
【０３８３】
ＣＰＵ３１０は、ハードディスクドライブ３１２のハードディスクに対し、上述のＡＴＲＡＣ３形式やＭＰ３形式等で圧縮符号化された複数の音楽データをそれぞれコンテンツＩＤ情報と対応付けて記憶している。
【０３８４】
またＣＰＵ３１０は、ハードディスク内に属性情報データベースを構築している。そしてＣＰＵ３１０は、その属性情報データベースに対し、ハードディスクに記憶している音楽データ毎の、コンテンツＩＤ情報や楽曲の曲名及びアーティスト名、当該楽曲が他の楽曲と共にアルバム化されている場合にはそのアルバム名、楽曲の属するジャンルの名称（以下、これをジャンル名と呼ぶ）、個々の音楽データの提供元を示すネットワークＮＴ上のＵＲＬ情報（すなわち、アドレス）等を互いに対応付けて生成した楽曲属性情報として登録している。すなわち、かかる楽曲属性情報は、音楽データ毎に用意されている。
【０３８５】
因みに楽曲属性情報に含まれるＵＲＬ情報としては、楽曲の試聴用として音楽データの一部を提供するためにアクセスさせるネットワークＮＴ上のＵＲＬ情報（以下、これを試聴用ＵＲＬ情報と呼ぶ）と、音楽データを実際に購入するためにアクセスさせるネットワークＮＴのＵＲＬ情報（以下、これを購入用ＵＲＬ情報と呼ぶ）との２種類が用意されている。
【０３８６】
さらにＣＰＵ３１０は、ハードディスクに対し、楽曲を音楽データの配信の形態で購入可能とするために、ＸＭＬ等の言語によって記述されて作成された、ダウンロード可能な音楽データに基づく楽曲のリストを含み、かつ視聴用ＵＲＬ情報及び購入用ＵＲＬ情報を埋め込んだＷｅｂページ（以下、これを配信楽曲提示ページと呼ぶ）の画面データを予め格納している。
【０３８７】
従ってＣＰＵ３１０は、クライアント端末２によりネットワークＮＴを介して配信楽曲提示ページにアクセスされ、その配信楽曲提示ページを介して配信を希望する楽曲が選択された状態で例えば購入用ＵＲＬ情報が指定されると、当該選択された楽曲に対応させて予め用意された購入用のＷｅｂページ（以下、これを楽曲購入ページと呼ぶ）を提示する。
【０３８８】
そしてＣＰＵ３１０は、かかる楽曲購入ページを介して楽曲の購入が確認されると、ハードディスクドライブ３１２のハードディスクから、ユーザによって選択された楽曲の音楽データと共に対応する楽曲属性情報を読み出す。これによりＣＰＵ３１０は、その読み出した音楽データに楽曲属性情報を付加し、これらをネットワークインタフェース３１５を介してクライアント端末２に送信する。
【０３８９】
このようにしてＣＰＵ３１０は、クライアント端末２を介してユーザに対し、所望の楽曲を音楽データの形態で購入させ得るようになされている。
【０３９０】
（１−１１）物販サーバＳＶ２の構成
次に、図１８を用いて物販サーバＳＶ２のハードウェア回路ブロックによるハードウェア構成を説明する。物販サーバＳＶ２は、全体を統括的に制御するＣＰＵ３２０が、ＲＯＭ３２１又はハードディスクドライブ３２２に記憶されている基本プログラムや各種プログラムを、バス３２３を介してＲＡＭ３２４に適宜展開しこれを実行することにより、物販サービスを提供するための処理を行う。
【０３９１】
ここで、この物販サービスを提供する方法の一例を説明する。例えば物販サーバＳＶ２のハードディスクドライブ３２２には、パッケージメディア販売用のページ情報等が記憶されている。このページ情報は、ＸＭＬ等の言語によって記述されている。そしてクライアント端末２のユーザは、かかるパッケージメディア販売用のページを介して、購入を希望するＣＤやＤＶＤを選択することができる。
【０３９２】
物販サーバＳＶ２のＣＰＵ３２０は、クライアント端末２からの要求に応じて、かかるパッケージメディア販売用のページ情報を、ネットワークインタフェース３２５を介してクライアント端末２に送信することにより、当該クライアント端末２のディスプレイ２０６に対し、そのパッケージメディア販売用のページ情報を映像のページとして表示させる。
【０３９３】
そしてＣＰＵ３２０は、クライアント端末２から、そのページを介して購入希望のパッケージメディアが選択されたことに応じて、購入要求信号が送信されると、これをネットワークインタフェース３２５を介して受信する。これによりＣＰＵ３２０は、かかる購入要求信号に応じて、クライアント端末２のユーザに対しバーケージメディアを販売するための処理を実行する。
【０３９４】
（１−１２）ラジオ放送情報配信サーバＳＶ３の構成
次に、図１９を用いてラジオ放送情報配信サーバＳＶ３のハードウェア回路ブロックによるハードウェア構成を説明する。ラジオ放送情報配信サーバＳＶ３は、全体を統括的に制御するＣＰＵ３３０が、ＲＯＭ３３１又はハードディスクドライブ３３２に記憶されている基本プログラムや各種プログラムを、バス３３３を介してＲＡＭ３３４に適宜展開しこれを実行することにより、ラジオ放送情報配信サービスを提供する。
【０３９５】
ここで、このラジオ放送情報配信サービスを提供する方法の一例を説明する。例えばこのラジオ放送情報配信サーバＳＶ３のハードディスクドライブ３３２には、オンエアリスト情報や、ナウオンエア情報等が記憶されている。
【０３９６】
ラジオ放送情報配信サーバＳＶ３のＣＰＵ３３０は、クライアント端末２から例えばナウオンエア情報要求信号が送信されると、これをネットワークインタフェース３３５を介して受信する。そしてＣＰＵ３３０は、ナウオンエア情報要求信号に応じて、ハードディスクドライブ３３２からナウオンエア情報を読み出し、これをネットワークインタフェース３３５を介してクライアント端末２に送信する。
【０３９７】
（１−１３）ディスク情報提供サーバＳＶ５の構成
次に、図２０を用いてディスク情報提供サーバＳＶ５のハードウェア回路ブロックによるハードウェア構成を説明する。ディスク情報提供サーバＳＶ５は、全体を統括的に制御するＣＰＵ３４０が、ＲＯＭ３４１又はハードディスクドライブ３４２のハードディスクに記憶されている基本プログラムやディスク情報提供プログラム等の各種プログラムを、バス３４３を介してＲＡＭ３４４に適宜展開しこれを実行することにより、ディスク情報提供処理等の各種処理を実行する。
【０３９８】
これによりＣＰＵ３４０は、ハードディスクドライブ３４２のハードディスク内に予め、ＣＤに関するディスク情報の登録用としてディスク情報データベースを構築している。
【０３９９】
そしてＣＰＵ３４０は、ハードディスク内のディスク情報データベースに、個々のＣＤに関するディスク情報（すなわち、ＣＤのアルバム名、当該ＣＤに音楽データとして記憶されている個々の楽曲の曲名や演奏時間、アーティスト名、個々の楽曲の音楽データに対するコンテンツＩＤ情報等でなる）と、当該ＣＤ内の管理データに基づいて生成されたＣＤ判別情報とを対応付けて登録している。
【０４００】
ＣＰＵ３４０は、例えばクライアント端末２からＣＤの再生の際にそのＣＤに対するＣＤ判別情報が送信されると、これをネットワークインタフェース３４５を介して受信する。そしてＣＰＵ３４０は、そのＣＤ判別情報に基づいて、ハードディスク内のディスク情報データベースに登録している複数のディスク情報の中から、当該ＣＤ判別情報に対応するディスク情報を検索する。これによりＣＰＵ３４０は、その検索したディスク情報をネットワークインタフェース３４５を介してクライアント端末２に送信する。
【０４０１】
これによりＣＰＵ３４０は、クライアント端末２に対し、再生されたＣＤに関するディスク情報を提供し得るようになされている。
【０４０２】
（１−１４）課金サーバＳＶ６の構成
次に、図２１を用いて課金サーバＳＶ６のハードウェア回路ブロックによるハードウェア構成を説明する。課金サーバＳＶ６は、全体を統括的に制御するＣＰＵ３５０が、ＲＯＭ３５１又はハードディスクドライブ３５２のハードディスクに記憶されている基本プログラムや課金処理プログラム等の各種プログラムを、バス３５３を介してＲＡＭ３５４に適宜展開しこれを実行することにより、課金処理等の各種処理を実行する。
【０４０３】
この場合、ＣＰＵ３５０は、ハードディスクドライブ３５２のハードディスクに構築した課金情報データベースに対し、ユーザに対する課金処理に使用するユーザＩＤ情報や当該ユーザの口座番号等の課金処理使用情報を登録している。またＣＰＵ３５０は、かかる課金情報データベースに対し、コンテンツＩＤ情報に音楽データ等のコンテンツデータに対する販売価格を対応付けてコンテンツ価格情報として登録している。さらにＣＰＵ３５０は、その課金情報データベースに対し、物販サーバＳＶ２を利用して購入可能なＣＤやＤＶＤ等の販売価格等も物販価格情報として登録している。
【０４０４】
ＣＰＵ３５０は、ポータルサーバ３や音楽データ配信サーバＳＶ１、物販サーバＳＶ２から、課金対象のユーザ、及びそのユーザに購入されるコンテンツデータやＣＤ等の購入対象を特定可能で、かつ当該ユーザに対する課金処理の実行を依頼する課金依頼情報が送信されると、これをネットワークインタフェース３５５を介して受信する。そしてＣＰＵ３５０は、その課金依頼情報に基づいて、ハードディスク内の課金情報データベースの中から、課金対象のユーザの課金処理使用情報と、そのユーザの購入する購入対象の価格情報（すなわち、コンテンツ価格情報及び物販価格情報）を探し出す。
【０４０５】
これによりＣＰＵ３５０は、課金情報データベースの中から探し出した課金処理使用情報及び価格情報を用いてユーザに対する課金処理を実行し、かくしてユーザに対し音楽データ等のコンテンツデータやＣＤ等の購入対象を正しく購入させ得るようになされている。
【０４０６】
（２）楽曲提示再生処理
（２−１）楽曲提示処理シーケンス
次に、クライアント端末２が、ハードディスクドライブ２１１のハードディスク、ＣＤ及びＭＤや音楽データ配信サーバＳＶ１で記憶されている多数の音楽データのうち、ユーザによって選択された種類に属する音楽データを、個々の楽曲単位や複数の楽曲がまとめられたアルバム単位としてユーザに提示する楽曲提示処理シーケンスについて図２２を用いて以下に説明する。
【０４０７】
図２２に示す楽曲提示処理シーケンスにおいてクライアント端末２のＣＰＵ２０３は、図１５について上述したプログラムモジュールとしてのオーディオユーザインタフェース２５３及びＸＭＬブラウザ２４６に相当する提示画像生成モジュールＭ１と、ハードディスクコンテンツコントローラ２４７、コンテンツデータアクセスモジュール２５０、データベースアクセスモジュール２４９及びＨＤＤ再生モジュール２５５に相当するデータベース登録読出制御モジュールＭ２、ＣＤ再生モジュール２５４に相当するＣＤ再生制御モジュールＭ３、ＭＤ再生モジュール２５７に相当するＭＤ再生制御モジュールＭ４、ＨＴＴＰメッセージプログラム２４０、コミュニケータプログラム２４１、著作権保護管理モジュール２４３、楽曲購入再生モジュール２４５及びライブラリ２４８に相当する通信モジュールＭ５に従って楽曲提示処理を実行している。
【０４０８】
しかしながらかかる楽曲提示処理シーケンスでは、提示画像生成モジュールＭ１、データベース登録読出制御モジュールＭ２、ＣＤ再生制御モジュールＭ３、ＭＤ再生制御モジュールＭ４及び通信モジュールＭ５を、それぞれ説明の便宜上あたかもハードウェアとして設けられた回路ブロックのように扱って以下に説明する。
【０４０９】
クライアント端末２の提示画像生成モジュールＭ１は、ユーザにより現在再生可能な音楽データの提示が要求されると、データベース登録読出制御モジュールＭ２を介してハードディスクドライブ２１１のハードディスクからこれに予め記憶している楽曲提示画像データを読み出してディスプレイ２０６に送出することにより当該ディスプレイ２０６に図２３に示すような楽曲提示画像４００を表示する。
【０４１０】
楽曲提示画像４００には、音楽データの種類であるアーティストの名称（以下、これをアーティスト名と呼ぶ）を入力するためのアーティスト名入力部４０１と、種別毎の音楽データ（すなわち、個々のアーティストの音楽データ）に対する提示単位を選択させるための提示単位選択部４０２とが設けられている。
【０４１１】
また楽曲提示画像４００には、楽曲提示欄４０３Ａ、記憶場所提示欄４０３Ｂ及びスクロールバー４０３Ｃを有する音楽データ提示部４０３が設けられている。また楽曲提示画像４００には、音楽データ配信サーバＳＶ１からダウンロード可能な音楽データの試聴を要求する試聴要求ボタン４０４、及び購入を要求する購入要求ボタン４０５も設けられている。
【０４１２】
提示画像生成モジュールＭ１は、ディスプレイ２０６にこのような楽曲提示画像４００を表示した場合、アーティスト名入力部４０１に対し、ユーザに所望のアーティスト名を入力させるようにして、当該ユーザに提示する音楽データの種類を選択させる。
【０４１３】
また提示画像生成モジュールＭ１は、楽曲提示画像４００内の提示単位選択部４０２を介して、ユーザに対し、所望のアーティストの音楽データを個々の楽曲単位又は複数の楽曲がまとめられたアルバム単位の何れの提示単位で提示するかを任意に選択させるようになされている。
【０４１４】
そして提示画像生成モジュールＭ１は、かかる楽曲提示画像４００のアーティスト名入力部４０１に対し、提示対象の音楽データに対する種類として所望のアーティスト名が入力されると共に、提示単位選択部４０２を介して、音楽データに対する提示単位として例えばアルバムが選択されると（この時点では楽曲提示欄４０３Ａ及び記憶場所提示欄４０３Ｂには何も表示してはいない）、その任意に選択された提示単位（すなわち、アルバム）と共に、同様に任意に選択された種類（すなわち、アーティスト名）を示す検索キーをＣＤ再生制御モジュールＭ３に与える。
【０４１５】
ＣＤ再生制御モジュールＭ３は、提示画像生成モジュールＭ１から検索キーが与えられると、その検索キーと、現在クライアント端末２に装填されているＣＤに関するディスク情報の内容とに基づいて、かかるＣＤがユーザによって選択されたアーティストのＣＤであるか否かを判別する。その結果、ＣＤ再生制御モジュールＭ３は、そのＣＤがユーザによって選択されたアーティストのアルバム用のＣＤであれば、当該ＣＤに対応するディスク情報の中からアルバム名を取り出して提示画像生成モジュールＭ１に通知する。
【０４１６】
次いで提示画像生成モジュールＭ１は、ＣＤ再生制御モジュールＭ３に与えたものと同一の検索キーをＭＤ再生制御モジュールＭ４にも与える。
【０４１７】
ここでＭＤについては、音楽データ記憶領域及び管理データ記憶領域が設けられている。そして音楽データ記憶領域には、１又は複数の音楽データが記憶される。また管理データ記憶領域には、音楽データ記憶領域に記憶された音楽データを管理するための、アルバム名、個々の楽曲の曲名及び再生時間等からなる管理データ（すなわち、ＴＯＣ）が記憶される。さらに音楽データ記憶領域又は管理データ記憶領域の何れかには、音楽データ記憶領域に記憶された音楽データに対応するアーティスト名が記憶されている。
【０４１８】
従ってＭＤ再生制御モジュールＭ４は、提示画像生成モジュールＭ１から検索キーが与えられると、現在クライアント端末２に接続されている外部記憶再生装置に装填されたＭＤからアーティスト名及び管理データを読み出す。そしてＭＤ再生制御モジュールＭ４は、検索キーと、その読み出したアーティスト名及び管理データとに基づいて、かかるＭＤに対し、ユーザによって選択されたアーティストの音楽データが記憶されているか否かを検出する。
【０４１９】
これによりＭＤ再生制御モジュールＭ４は、ＭＤに記憶されている音楽データが、ユーザによって選択されたアーティストの音楽データであれば、（すなわちＭＤに対し、ユーザによって選択されたアーティストのアルバム収録曲の全音楽データが記憶されていれば）、管理データに含まれるアルバム名を提示画像生成モジュールＭ１に通知する。
【０４２０】
続いて提示画像生成モジュールＭ１は、ＣＤ再生制御モジュールＭ３及びＭＤ再生制御モジュールＭ４に与えたものと同一の検索キーを通信モジュールＭ５に与えると共に、その通信モジュールＭ５に対して検索キーを音楽データ配信サーバＳＶ１に送信するように要求する。
【０４２１】
通信モジュールＭ５は、提示画像生成モジュールＭ１から検索キーが与えられると、これに応じてネットワークＮＴ経由で音楽データ配信サーバＳＶ１にアクセスする。
【０４２２】
これにより音楽データ配信サーバＳＶ１のＣＰＵ３１０は、図９について上述した場合と同様にクライアント端末２を利用するユーザに対するユーザ認証処理を実行し、かかるユーザを正規ユーザであると認証すると、サーバ認証結果情報（すなわち、ユーザを正規ユーザであると認証したことを示すサービスセッションＩＤ情報）をネットワークＮＴ経由でクライアント端末２に通知する。
【０４２３】
なお音楽データ配信サーバＳＶ１は、この後、クライアント端末２がアクセスする毎に、図１０について上述した場合と同様にユーザ認証処理を実行したうえで、そのアクセス内容に応じた処理を実行するものの、かかるユーザ認証処理についてはすでに詳述しているため、ここでの説明は省略する。
【０４２４】
通信モジュールＭ５は、音楽データ配信サーバＳＶ１からサーバ認証結果情報が通知されると、これに応じて検索キーを検索要求データとしてネットワークＮＴ経由で音楽データ配信サーバＳＶ１に送信する。
【０４２５】
このとき音楽データ配信サーバＳＶ１のＣＰＵ３１０は、音楽データの検索処理を開始し、クライアント端末２から送信された検索要求データを受信する。
【０４２６】
そしてＣＰＵ３１０は、その検索要求データに基づいて得られた検索キーを用いて、ハードディスク内の属性情報データベースに登録している複数の楽曲属性情報の中から、当該検索キーの示す検索条件に該当する楽曲属性情報（すなわち、検索キーの示すアーティストの音楽データに対応する楽曲属性情報であり、以下、この楽曲属性情報を特に該当楽曲属性情報と呼ぶ）を検索する。
【０４２７】
これによりＣＰＵ３１０は、その検索した該当楽曲属性情報を属性情報通知データとしてネットワークＮＴ経由でクライアント端末２に送信する。
【０４２８】
通信モジュールＭ５は、音楽データ配信サーバＳＶ１からネットワークＮＴ経由で送信された属性情報通知データを受信する。そして通信モジュールＭ５は、かかる属性情報通知データとして得られた該当楽曲属性情報を提示画像生成モジュールＭ１に引き渡す。
【０４２９】
提示画像生成モジュールＭ１は、通信モジュールＭ５から与えられた該当楽曲属性情報を、登録要求と共にデータベース登録読出制御モジュールＭ２に与える。これによりデータベース登録読出制御モジュールＭ５は、ハードディスク内の楽曲管理データベースに対し、該当楽曲属性情報を、ユーザによって選択されたアーティスト名や、音楽データ配信サーバＳＶ１から取得したことを示すサーバ取得情報と対応付けて登録する。
【０４３０】
そして提示画像生成モジュールＭ１は、ＣＤ再生制御モジュールＭ３、ＭＤ再生制御モジュールＭ４及び音楽データ配信サーバＳＶ１に与えたものと同一の検索キーと共にアルバム名のリストを要求するリスト要求を、データベース登録読出制御モジュールＭ２に与える。
【０４３１】
ここでデータベース登録読出制御モジュールＭ２は、ＣＤから再生した音楽データをハードディスクに記憶したとき、当該ハードディスク内の楽曲管理データベースに対して、そのＣＤに関するディスク情報をディスク情報提供サーバＳＶ５から取得して登録している。
【０４３２】
またデータベース登録読出制御モジュールＭ２は、音楽データ配信サーバＳＶ１から音楽データを購入のために取得してハードディスクに記憶したとき、楽曲管理データベースに対し、その音楽データ配信サーバＳＶ１から当該音楽データと共に取得した楽曲属性情報と、その音楽データに対するハードディスク上の記憶アドレスとを対応付けて楽曲管理情報として登録している。
【０４３３】
従ってデータベース登録読出制御モジュールＭ２は、提示画像生成モジュールＭ１から与えられたリスト要求に応じて検索キーにより、ハードディスク内の楽曲管理データベースに登録しているディスク情報及び楽曲管理情報並びに該当楽曲属性情報の内容から、検索キーの示す検索条件に該当するアルバム名を検索する。そしてデータベース登録読出制御モジュールＭ２は、その検索したアルバム名をアルバム名リストとして提示画像生成モジュールＭ１に通知する。
【０４３４】
因みにデータベース登録読出制御モジュールＭ２は、事前のユーザ設定に応じて、このとき検索キーの示す検索条件に該当するアルバム名を、異なる記憶媒体同士や、これら記憶媒体及び音楽データ配信サーバＳＶ１間で、重複を無視して全て検出することができる。またデータベース登録読出制御モジュールＭ２は、かかるユーザ設定に応じて、検索キーの示す検索条件に該当するアルバム名を、異なる記憶媒体同士や、これら記憶媒体及び音楽データ配信サーバＳＶ１間で、重複しないように検出することもできる。
【０４３５】
これにより提示画像生成モジュールＭ１は、データベース登録読出制御モジュールＭ２から通知されたアルバム名リストに対し、ＣＤ再生制御モジュールＭ３及びＭＤ再生制御モジュールＭ４から通知されたアルバム名と、これらアルバム名に対応する音楽データの記憶場所を示す記憶場所提示情報とを合わせて加えることで、ユーザによって選択されたアーティストのアルバム名に対する提示用のリスト（以下、これを提示リストと呼ぶ）を生成する。
【０４３６】
そして提示画像生成モジュールＭ１は、楽曲提示画像データに対して提示リストを合成することにより、ディスプレイ２０６に対し、図２４に示すような当該提示リストを含む楽曲提示画像４０６を表示する。
【０４３７】
提示画像生成モジュールＭ１は、楽曲提示画像４０６の楽曲提示欄４０３Ａに対し、ユーザによって任意に選択されたアーティストのアルバム名を表示し、記憶場所提示欄４０３Ｂに対しては、その楽曲提示欄４０３Ａに表示したアルバム名のアルバムに収録されている音楽データの記憶場所の名称（すなわち、ハードディスクドライブ２１１、ＣＤ及びＭＤ等の記憶媒体の名称や音楽データ配信サーバＳＶ１の名称）をそれぞれアルバム名に対応させて表示する。
【０４３８】
因みに提示画像生成モジュールＭ１は、ユーザに対して提示すべきアルバムが多数存在し、音楽データ提示部４０３において楽曲提示欄４０３Ａに提示リストの全てのアルバム名を一括して提示し難いときには、スクロールバー４０３Ｃに対する操作に応じて当該楽曲提示欄４０３内でアルバム名を記憶場所の名称と共にスクロール表示させる。
【０４３９】
従って提示画像生成モジュールＭ１は、楽曲提示画像４０６によりユーザに対し、任意に選択されたアーティストに対する現在再生可能な音楽データを、アルバム単位で提示し得ると共に、そのアルバムに対する記憶場所も合わせて提示する。
【０４４０】
このようにして提示画像生成モジュールＭ１は、音楽データに対する提示が要求され、かかる音楽データの検索に用いる検索キーとしてアーティスト名が任意に選択されると、その時点でクライアント端末２により利用可能な状態にあるハードディスク、ＣＤ及びＭＤの記憶媒体や音楽データ配信サーバＳＶ１から、当該アーティストに対する再生可能なアルバムのアルバム名を収集する。
【０４４１】
そして提示画像生成モジュールＭ１は、その収集したアルバム名をリストとして楽曲提示画像４０６によりユーザに提示することで、ユーザに対しハードディスク、ＣＤ及びＭＤの記憶媒体や音楽データ配信サーバＳＶ１に対してそれぞれどのような音楽データが記憶されているかをわざわざ確認させるための煩雑な操作を何ら行わせることなく、これら記憶媒体や音楽データ配信サーバＳＶ１に記憶されている音楽データを提示し得るようになされている。
【０４４２】
また提示画像生成モジュールＭ１は、このときハードディスク等の記憶媒体や音楽データ配信サーバＳＶ１で記憶している音楽データ全てをユーザに提示するわけではなく、そのユーザにより任意に選択されたアーティストで限定して提示することで、当該提示した音楽データの中から所望の音楽データを容易に選択させ得るようになされている。
【０４４３】
（２−２）楽曲再生処理シーケンス
次に、クライアント端末２が、楽曲提示処理シーケンスによりユーザに提示した楽曲を、引き続きユーザの要求に応じて再生する楽曲再生処理シーケンスについて図２５を用いて以下に説明する。
【０４４４】
ただし図２５に示す楽曲再生処理シーケンスについても、上述した楽曲提示処理シーケンスの場合と同様に、実際にはクライアント端末２のＣＰＵ２０３が提示画像生成モジュールＭ１、データベース登録読出制御モジュールＭ２、ＣＤ再生制御モジュールＭ３、ＭＤ再生制御モジュールＭ４及び通信モジュールＭ５に従って楽曲再生処理を実行している。そしてかかる楽曲再生処理シーケンスについても、説明の便宜上、これら提示画像生成モジュールＭ１、データベース登録読出制御モジュールＭ２、ＣＤ再生制御モジュールＭ３、ＭＤ再生制御モジュールＭ４及び通信モジュールＭ５をそれぞれハードウェアとして設けられた回路ブロックのように扱って以下に説明する。
【０４４５】
提示画像生成モジュールＭ１は、ディスプレイ２０６に表示した楽曲提示画像４０６内の楽曲提示欄４０３Ａでハードディスクに記憶されているアルバムがアルバム名で選択されると、これに応じて当該選択されたアルバムを示す再生要求をデータベース登録読出制御モジュールＭ２に与える。
【０４４６】
これによりデータベース登録読出制御モジュールＭ２は、提示画像生成モジュールＭ１から与えられた再生要求に応じて、ハードディスクドライブ２１１のハードディスクからユーザによって選択されたアルバムに収録されている全音楽データを順次再生してスピーカ２１０から出力させることで、ユーザに対し、選択されたアルバムの全収録曲を順番に聴取させることができる。
【０４４７】
また提示画像生成モジュールＭ１は、ディスプレイ２０６に表示した楽曲提示画像４０６内の楽曲提示欄４０３Ａでアルバム用のＣＤがアルバム名で選択されると、これに応じて当該選択されたアルバムを示す再生要求をＣＤ再生制御モジュールＭ３に与える。
【０４４８】
これによりＣＤ再生制御モジュールＭ３は、提示画像生成モジュールＭ１から与えられた再生要求に応じて、メディアドライブ２０８によりＣＤから全音楽データを順次再生してスピーカ２１０から出力させることで、ユーザに対し選択されたアルバム用のＣＤの全収録曲を順番に聴取させることができる。
【０４４９】
さらに提示画像生成モジュールＭ１は、ディスプレイ２０６に表示した楽曲提示画像４０６内の楽曲提示欄４０３ＡでＭＤに記憶されているアルバムがアルバム名で選択されると、これに応じて当該選択されたアルバムを示す再生要求をＭＤ再生制御モジュールＭ４に与える。
【０４５０】
これによりＭＤ再生制御モジュールＭ４は、提示画像生成モジュールＭ１から与えられた再生要求に応じて、外部機器インタフェース２１６を介して外部記憶再生装置と通信し、当該外部記憶再生装置によりＭＤから、ユーザによって選択されたアルバムに収録されている全音楽データを順次再生させると共に、その全音楽データを外部機器インタフェース２１６を介して取り込んでスピーカ２１０から出力させることで、ユーザに対しＭＤに記憶されていたアルバムの全収録曲を順番に聴取させることができる。
【０４５１】
これに加えて提示画像生成モジュールＭ１は、ディスプレイ２０６に表示した楽曲提示画像４０６内の楽曲提示欄４０３Ａを介して、音楽データ配信サーバＳＶ１で記憶保持されているアルバムがアルバム名として選択され、試聴要求ボタン４０４が押下されると、データベース登録読出制御モジュールＭ２に対して視聴用ＵＲＬ情報の読み出しを要求する。
【０４５２】
従ってデータベース登録読出制御モジュールＭ２は、各該当楽曲属性情報のうち、ユーザによって選択されたアルバムに対応する該当楽曲属性情報の中から試聴用ＵＲＬ情報を読み出す。これにより提示画像生成モジュールＭ１は、データベース登録読出制御モジュールＭ２によって読み出された試聴用ＵＲＬ情報を示す試聴要求を通信モジュール５に与える。
【０４５３】
通信モジュールＭ５は、提示画像生成モジュールＭ１から与えられた試聴要求に応じて、音楽データ配信サーバＳＶ１にアクセスする。
【０４５４】
これにより音楽データ配信サーバＳＶ１のＣＰＵ３１０は、図９について上述した場合と同様に、クライアント端末２を利用するユーザに対しユーザ認証処理を実行し、その結果、かかるユーザを正規ユーザであると認証すると、そのサーバ認証結果情報をクライアント端末２に通知する。
【０４５５】
なお音楽データ配信サーバＳＶ１は、この後、クライアント端末２がアクセスする毎に、図１０について上述した場合と同様に、ユーザ認証処理を実行したうえで、そのアクセス内容に応じた処理を実行するものの、かかるユーザ認証処理についてはすでに詳述しているため、ここではその説明を省略する。
【０４５６】
通信モジュールＭ５は、音楽データ配信サーバＳＶ１からユーザに対するサーバ認証結果情報が通知されると、これに応じて、試聴要求で示されたネットワークＮＴ上の試聴用ＵＲＬ情報にアクセスする。
【０４５７】
ＣＰＵ３１０は、クライアント端末２によって試聴用ＵＲＬ情報にアクセスされると、これに応じてハードディスクドライブ３１２によりハードディスクから、かかる試聴用ＵＲＬ情報に対応する音楽データ（すなわち、ユーザによって選択されたアルバムに収録されている音楽データ）の一部を試聴データとして再生してストリーミング形式でネットワークＮＴを介してクライアント端末２に送信する。
【０４５８】
これにより通信モジュールＭ５は、試聴用ＵＲＬ情報のアクセスに応じて音楽データ配信サーバＳＶ１からネットワークＮＴ経由で送信された試聴データを受信すると、楽曲購入再生モジュール２４５によりその試聴データを順次スピーカ２１０から出力させる。
【０４５９】
このようにして通信モジュールＭ５は、ユーザに対し、選択されたアルバムの全収録曲を順番にスピーカ２１０を介して聴取させる。
【０４６０】
また提示画像生成モジュールＭ１は、楽曲提示画像４０６内でアルバムが任意に選択され購入要求ボタン４０５が押下されると、データベース登録読出制御モジュールＭ２に対してＵＲＬ情報の読み出しを要求する。
【０４６１】
このときデータベース登録読出制御モジュールＭ２は、各該当楽曲属性情報のうち、ユーザによって選択されたアルバムに対応する該当楽曲属性情報の中から購入用ＵＲＬ情報を読み出す。これにより提示画像生成モジュールＭ１は、データベース登録読出制御モジュールＭ２によって読み出された購入用ＵＲＬ情報を示す購入要求を通信モジュール５に与える。
【０４６２】
通信モジュールＭ５は、提示画像生成モジュールＭ１から購入要求が与えられると、その購入要求で示されたネットワークＮＴ上の購入用ＵＲＬ情報にアクセスする。
【０４６３】
これによりＣＰＵ３１０は、クライアント端末２による購入用ＵＲＬ情報へのアクセスに応じて、当該アクセスされた購入用ＵＲＬ情報に対応する楽曲購入ページをクライアント端末２に提示する。
【０４６４】
そしてＣＰＵ３１０は、クライアント端末２で楽曲購入ページを介して音楽データの購入が確認されると、これを受けてハードディスクドライブ３１２によりハードディスクから、クライアント端末２によってアクセスされる楽曲購入ページに対応付けた音楽データ（すなわち、ユーザによって選択されたアルバムに収録されている音楽データ）を再生すると共に、その音楽データに対応する楽曲属性情報も読み出す。そしてＣＰＵ３１０は、かかる音楽データに対し、対応する楽曲属性情報を付加してネットワークＮＴ経由でクライアント端末２に送信する。
【０４６５】
因みにＣＰＵ３１０は、このときクライアント端末２に送信した音楽データに関する課金依頼情報をネットワークＮＴ経由で課金サーバＳＶ６に送信することにより当該クライアント端末２のユーザに対する音楽データ購入の課金処理を実行させる。
【０４６６】
通信モジュールＭ５は、音楽データ配信サーバＳＶ１からネットワークＮＴ経由で送信されたアルバム全曲分の音楽データを順次受信すると、当該受信した音楽データを順次データベース登録読出制御モジュールＭ２に引き渡す。
【０４６７】
これによりデータベース登録読出制御モジュールＭ２は、通信モジュールＭ５から与えられたアルバム全曲分の音楽データをハードディスクドライブ２１１のハードディスクに記憶する。またデータベース登録読出制御モジュールＭ２は、ハードディスク内の楽曲管理データベースに対し、その音楽データに付加されていた楽曲属性情報と、当該音楽データに対するハードディスク上の記憶アドレスとを対応付けて楽曲管理情報として登録する。
【０４６８】
そしてデータベース登録読出制御モジュールＭ２は、ハードディスクに対する音楽データの記憶が終了すると、自動的又はユーザの再生要求に応じて当該ハードディスクからそのアルバム全曲分の音楽データを順次再生してスピーカ２１０から出力させる。これによりデータベース登録読出制御モジュールＭ２は、ユーザに対し音楽データ配信サーバＳＶ１から取得したアルバムの全収録曲を順番に聴取させる。
【０４６９】
このようにして提示画像生成モジュールＭ１は、ディスプレイ２０６に表示した楽曲提示画像４０６を介して、ユーザに対し、選択されたアーティストの再生可能な音楽データをアルバム単位で提示することにより、当該ユーザに対して、音楽データの記憶場所となるハードディスクドライブ２１１や、ＣＤ、ＭＤの記憶媒体をわざわざ選択させるような煩雑な操作を何ら行わせることなく（すなわち、ファンクションを何ら選択させることなく）、楽曲提示画像４０６内で所望のアルバム名を選択させるだけの簡易な操作で、当該選択されたアルバムに対応する音楽データが記憶されている記憶媒体を自動的に判別しその音楽データを再生して聴取させることができる。
【０４７０】
また提示画像生成モジュールＭ１は、ディスプレイ２０６に楽曲提示画像４０６を表示した状態では、ユーザによって選択されたアルバムに対応する音楽データが音楽データ配信サーバＳＶ１に記憶されている場合でも、当該ユーザに対してわざわざ音楽データ配信サーバＳＶ１に接続させ配信楽曲提示ページを取得するような煩雑な操作を何ら行わせることなく、楽曲提示画像４０６内でそのアルバムを選択させて試聴要求ボタン４０４及び購入要求ボタン４０５を押下させるだけの簡易な操作で、音楽データ配信サーバＳＶ１と自動的に通信して当該選択されたアルバムに対応する試聴データ及び音楽データを取得し再生して試聴及び聴取させることができる。
【０４７１】
（２−３）楽曲提示処理手順
次いで楽曲提示処理シーケンスについてはすでに図２２を用いて説明したが、以下にはその楽曲提示処理シーケンスでクライアント端末２のＣＰＵ２０３が実行する楽曲提示処理手順についてさらに詳述する。
【０４７２】
すなわち、ＣＰＵ２０３は、ユーザにより音楽データの提示が要求され、楽曲提示画像４００内で所望のアーティスト名が入力されると共に提示単位が選択されると、上述の提示画像生成モジュールＭ１、データベース登録読出制御モジュールＭ２、ＣＤ再生制御モジュールＭ３、ＭＤ再生制御モジュールＭ４及び通信モジュールＭ５に従って図２６に示す楽曲提示処理手順ＲＴ１を開始する。
【０４７３】
ＣＰＵ２０３は、ハードディスクドライブ２１１を常時監視して動作可能であるか否かを検出していると共に、メディアドライブ２０８及び外部機器インタフェース２１６を常時監視してＣＤの装填の有無や外部記憶再生装置の接続の有無も検出していることにより、楽曲提示処理手順ＲＴ１を開始すると、ステップＳＰ１００において、現在の検出結果により利用可能な記憶媒体（すなわち、ハードディスク、ＣＤ及びＭＤ）を確認して、次のステップＳＰ１０１に移る。
【０４７４】
ステップＳＰ１０１においてＣＰＵ２０３は、ハードディスクやＣＤ及びＭＤのうち現在利用可能な状態にある記憶媒体のみを用いて、検索キーに基づき、当該利用可能な記憶媒体からその検索キーの示す検索条件に該当するアルバム名を検索し、次のステップＳＰ１０２に移る。
【０４７５】
因みにＣＰＵ２０３は、ハードディスクドライブ２１１が動作可能であるか否かや、ＣＤの装填の有無及び外部記憶再生装置の接続の有無を常時検出して利用可能な記憶媒体を確認するのではなく、ステップＳＰ１００においてハードディスクドライブ２１１、メディアドライブ２０８及び外部記憶再生装置に対しそれぞれ同一の検索キーを与えて、その返答結果（すなわち、検索キーに対する単なる受取を示す返答や検索キーを用いた検索結果としてのアルバム名の通知等）に応じて利用可能な記憶媒体を検出するようにしても良い。
【０４７６】
ステップＳＰ１０２においてＣＰＵ２０３は、図２７に示す該当楽曲属性情報取得処理サブルーチンＳＲＴ５３１を開始する。
【０４７７】
ＣＰＵ２０３は、該当楽曲属性情報取得処理サブルーチンＳＲＴ５３１を開始すると、ステップＳＰ５３１においてネットワークＮＴに接続したか否かを判断し、当該ネットワークＮＴに接続したことで肯定結果を得ると、次のステップＳＰ５３２に移る。
【０４７８】
ステップＳＰ５３２においてＣＰＵ２０３は、ネットワークＮＴを介して音楽データ配信サーバＳＶ１に接続して、次のステップＳＰ５３３に移る。
【０４７９】
ステップＳＰ５３３においてＣＰＵ２０３は、ユーザによって選択されたアーティスト名に対応する該当楽曲属性情報を、すでに音楽データ配信サーバＳＶ１から取得してそのアーティスト名と共に、楽曲管理データベースに対して登録しているか否かを判断する。
【０４８０】
このステップＳＰ５３３において肯定結果が得られると、このことは今回音楽データの提示用としてユーザにより選択されたアーティスト名が過去にも音楽データの提示用として選択されていたため、過去にそのアーティスト名を検索キーとして用いて音楽データ配信サーバＳＶ１から取得していた該当楽曲属性情報を当該アーティスト名と共に、楽曲管理データベースに対してすでに登録していたことを表している。このときＣＰＵ２０３は、次のステップＳＰ５３４に移る。
【０４８１】
ステップＳＰ５３４においてＣＰＵ２０３は、楽曲管理データベースから今回ユーザによって選択されたアーティスト名に対応する全ての該当楽曲属性情報内の例えばコンテンツＩＤ情報を読み出す。そしてＣＰＵ２０３は、そのコンテンツＩＤ情報を、該当楽曲属性情報を個別に特定するための情報とし、アーティスト名と共に検索キーとしてネットワークインタフェース２１５からネットワークＮＴ経由で音楽データ配信サーバＳＶ１に送出する。
【０４８２】
またＣＰＵ２０３は、音楽データ配信サーバＳＶ１に対しアーティスト名に対応する楽曲属性情報のうち、クライアント端末２で未だ取得してはいない楽曲属性情報のみを過去取得分との差分として要求し、次のステップＳＰ５３５に移る。
【０４８３】
一方、ステップＳＰ５３３において否定結果が得られると、このことは今回ユーザによって選択されたアーティスト名が過去には一度も選択されたことがなく、そのため音楽データ配信サーバＳＶ１からそのアーティスト名に対応する該当楽曲属性情報を全く取得してはいないことを表しており、このときＣＰＵ２０３は、ステップＳＰ５３６に移る。
【０４８４】
ステップＳＰ５３６においてＣＰＵ２０３は、ユーザによって選択されたアーティスト名を検索キーとしてネットワークインタフェース２１５からネットワークＮＴ経由で音楽データ配信サーバＳＶ１に送出することにより、当該音楽データ配信サーバＳＶ１に対しそのアーティスト名に対応する全ての楽曲属性情報を新規の該当楽曲属性情報として要求し、次のステップＳＰ５３５に移る。
【０４８５】
ステップＳＰ５３５においてＣＰＵ２０３は、音楽データ配信サーバＳＶ１からネットワークＮＴ経由で送信された差分又は新規の該当楽曲属性情報を通信処理部２１４及びネットワークインタフェース２１５を受信介して受信し、次のステップＳＰ５３７に移る。
【０４８６】
ステップＳＰ５３７においてＣＰＵ２０３は、ハードディスク内の楽曲管理データベースに対し、音楽データ配信サーバＳＶ１から取得した差分又は新規の該当楽曲属性情報をアーティスト名及びサーバ情報と対応付けて登録した後、次のステップＳＰ５３８に移ってかかる該当楽曲属性情報取得処理サブルーチンＳＲＴ５３１を抜けてステップＳＰ１０３（図２６）に移る。
【０４８７】
因みに上述のステップＳＰ５３１においてＣＰＵ２０３は、ネットワーク回線の混雑等によりネットワークＮＴに接続できずに否定結果を得ると、次のステップＳＰ５３９に移ってユーザに対し音楽データ配信サーバＳＶ１から該当楽曲属性情報を取得することができないことを通知した後、ステップＳＰ５３８に移る。
【０４８８】
ステップＳＰ１０３においてＣＰＵ２０３は、ハードディスク内の楽曲管理データベースからユーザによって選択されたアーティスト名に対応するアルバム名をアルバム名リストとして読み出して、次のステップＳＰ１０４に移る。
【０４８９】
ステップＳＰ１０４においてＣＰＵ２０３は、図２４について上述したアルバム名リストを含む楽曲提示画像４０６を生成してディスプレイ２０６に提示した後、次のステップＳＰ１０５に移ってかかる楽曲提示処理手順ＲＴ１を終了する。
【０４９０】
因みにＣＰＵ２０３は、上述した楽曲提示処理手順ＲＴ１の実行の際、クライアント端末２にＣＤが装填されていると、ステップＳＰ１０１においてそのＣＤに関するアルバム名を取得するために、図２８に示すアルバム名取得処理手順ＲＴ２を実行している。
【０４９１】
ＣＰＵ２０３は、アルバム名取得処理手順ＲＴ２を開始すると、ステップＳＰ１１０においてネットワークＮＴに接続したか否かを判断し、当該ネットワークＮＴに接続したことで肯定結果を得ると、次のステップＳＰ１１１に移る。
【０４９２】
ステップＳＰ１１１においてＣＰＵ２０３は、メディアドライブ２０８によりＣＤから管理データを再生すると共に、当該再生した管理データに基づいてＣＤ判別情報を生成しネットワークインタフェース２１５からネットワークＮＴ経由でディスク情報提供サーバＳＶ５に送信する。
【０４９３】
これによりＣＰＵ２０３は、ディスク情報提供サーバＳＶ５からＣＤ判別情報に応じて提供されたＣＤに関するディスク情報を取得して、次のステップＳＰ１１２に移る。
【０４９４】
ステップＳＰ１１２においてＣＰＵ２０３は、ディスク情報提供サーバＳＶ５から取得したディスク情報の内容と、検索キーとに基づいて、現在クライアント端末２に装填されているＣＤのアルバム名が、ユーザによって選択されたアーティストのアルバムのアルバム名であるか否かを判断する。その結果、ＣＰＵ２０３は、かかるＣＤがユーザによって選択されたアーティストのＣＤであり、肯定結果を得ると、次のステップＳＰ１１３に移る。
【０４９５】
ステップＳＰ１１３においてＣＰＵ２０３は、ディスク情報内のアルバム名を、後に楽曲提示画像４０６を生成する際の提示リストとして利用すべく取得して、次のステップＳＰ１１４に移り、かかるアルバム名取得処理手順ＲＴ２を終了する。
【０４９６】
因みにステップＳＰ１１２においてＣＰＵ２０３は、現在クライアント端末２に装填されているＣＤがユーザによって選択されたアーティストとは異なる他のアーティストのＣＤであるために否定結果を得ると、アルバム名を取得せずにステップＳＰ１１４に移る。
【０４９７】
また上述のステップＳＰ１１０においてＣＰＵ２０３は、ネットワーク回線の混雑等によりネットワークＮＴに接続できずに否定結果を得ると、次のステップＳＰ１１５に移ってユーザに対しＣＤに関するディスク情報を取得することができないことを通知した後、ステップＳＰ１１４に移る。
【０４９８】
ところでＣＰＵ２０３は、楽曲提示処理手順ＲＴ１の開始に際してディスプレイ２０６に表示した楽曲提示画像４００で、アーティスト名入力部４０１に対し音楽データに対する種類として所望のアーティスト名が入力されると共に、提示単位選択部４０２を介して音楽データの提示単位として例えば楽曲が選択されると（この時点では楽曲提示欄４０３Ａ及び記憶場所提示欄４０３Ｂには何も表示してはいない）、その任意に選択された提示単位（すなわち、楽曲）と共に、同様に任意に選択された種類（すなわち、アーティスト名）を示す検索キーを用いて上述した場合と同様の処理を実行する。
【０４９９】
これによりＣＰＵ２０３は、ユーザによって選択されたアーティスト名に対応し、ハードディスク、ＣＤ及びＭＤから再生可能な音楽データの曲名と、音楽データ配信サーバＳＶ１から再生可能な音楽データの曲名とを取得し、当該取得した曲名と共に、これら音楽データの記憶場所を示す記憶場所提示情報を合わせて曲名の提示リストを生成する。
【０５００】
そしてＣＰＵ２０３は、楽曲提示画像データに提示リストを合成するようにして図２９に示すような当該提示リストを含む楽曲提示画像４１０を生成しこれをディスプレイ２０６に表示する。
【０５０１】
この場合、ＣＰＵ２０３は、楽曲提示画像４１０の楽曲提示欄４０３Ａに対し、ユーザによって任意に選択されたアーティストの音楽データの曲名を表示する。またＣＰＵ２０３は、記憶場所提示欄４０３Ｂに対し、その楽曲提示欄４０３Ａに表示した曲名の音楽データに対する記憶場所の名称（すなわち、ハードディスクドライブ２１１、ＣＤ及びＭＤの記憶媒体の名称や音楽データ配信サーバＳＶ１の名称）を曲名に対応させて表示する。
【０５０２】
因みにＣＰＵ２０３は、ユーザに対して提示すべき楽曲が多数存在し、音楽データ提示部４０３において楽曲提示欄４０３Ａに提示リストの全ての曲名を一括して提示し難いときには、上述のアルバム名を表示した場合と同様に、スクロールバー４０３Ｃに対する操作に応じて当該楽曲提示欄４０３内で曲名を記憶場所の名称と共にスクロール表示させる。
【０５０３】
従ってＣＰＵ２０３は、楽曲提示画像４１０によりユーザに対し、任意に選択されたアーティストに対する現在再生可能な音楽データを個々の楽曲毎に曲名として提示し得ると共に、その音楽データに対する記憶場所も合わせて提示し得るようになされている。
【０５０４】
このようにしてＣＰＵ２０３は、音楽データに対する提示が要求され、かかる音楽データの検索に用いる検索キーとしてアーティスト名が任意に選択されると、その時点で利用可能なハードディスク、ＣＤ及びＭＤの記憶媒体や音楽データ配信サーバＳＶ１から当該アーティストの再生可能な個々の音楽データの曲名を収集する。
【０５０５】
そしてＣＰＵ２０３は、その収集した曲名をリストとして楽曲提示画像４１０によりユーザに提示することで、ユーザに対しハードディスク、ＣＤ及びＭＤや音楽データ配信サーバＳＶ１に対してそれぞれどのような音楽データが記憶されているかをわざわざ確認させることなく、再生可能な音楽データを容易に提示し得るようになされている。
【０５０６】
またＣＰＵ２０３は、このようにユーザに対して再生可能な音楽データの曲名を提示した状態で再生が要求された場合には、上述のアルバム名を提示して再生が要求されたときとほぼ同様にして、ユーザにより個々の音楽データが曲名として選択される毎に、当該選択された音楽データを再生する。
【０５０７】
（３）動作及び効果
以上の構成において、音楽関連サービス提供システム１のクライアント端末２は、音楽データの提示が要求され、その提示すべき音楽データの種類がアーティスト名として選択されると、そのアーティスト名に基づいて、クライアント端末２で音楽データの再生に利用可能なハードディスク、ＣＤ、ＭＤ及び音楽データ配信サーバＳＶ１から、それぞれ記憶されている音楽データの中から、当該ユーザによって選択されたアーティストの音楽データに対する曲名又はアルバム名を検索して収集する。
【０５０８】
そしてクライアント端末２は、ユーザに対し、その収集した曲名又はアルバム名のリストにより、当該ユーザによって選択されたアーティストの音楽データを提示する。
【０５０９】
その結果、クライアント端末２は、ユーザにより再生対象の音楽データが曲名又はアルバム名として任意に選択されると、当該選択された曲名の音楽データ又は同様に選択されたアルバム名のアルバムに収録されている全ての音楽データをそれぞれ、これを記憶しているハードディスク、ＣＤ、ＭＤ及び音楽データ配信サーバＳＶ１から再生して聴取させる。
【０５１０】
以上の構成によれば、クライアント端末２において、ユーザによる任意のアーティストの再生可能な音楽データに対する提示要求に応じて、音楽データの再生に利用可能なハードディスク、ＣＤ、ＭＤ及び音楽データ配信サーバＳＶ１でそれぞれ記憶している音楽データのうち、ユーザによって選択されたアーティストの音楽データに対する曲名又はアルバム名を収集してユーザに提示するようにしたことにより、ハードディスク、ＣＤ、ＭＤ及び音楽データ配信サーバＳＶ１で記憶されている音楽データをわざわざ確認させるような煩雑な作業を何ら必要とせず、当該ハードディスク、ＣＤ、ＭＤ及び音楽データ配信サーバＳＶ１で記憶されている所望の種類に属する音楽データを曲名又はアルバム名として容易に提示することができ、かくして所望の音楽データを容易に選択させることができる。
【０５１１】
またクライアント端末２は、ユーザにより任意に選択されたアーティストの音楽データを個々の音楽データの曲名や複数の音楽データをまとめたアルバム名として提示することにより、提示した音楽データを一曲ずつ選択するような要求や、複数を一括して選択するような要求に容易に対処することができる。
【０５１２】
さらにクライアント端末２は、ユーザにより任意に選択されたアーティストの再生可能な音楽データを検索する際に、各種音楽データを多数記憶している音楽データ配信サーバＳＶ１を利用するようにしたことにより、クライアント端末２に対しＣＤが装填されていないときや外部記憶再生装置が接続されていないとき、またハードディスクに多数の音楽データを記憶してはいないようなとき、さらにはユーザによってそれまでほとんど聴取されたことのない新たなアーティストの楽曲の聴取が要求されたとき等でも、ユーザに対しクライアント端末２へのＣＤの装填や外部記憶再生装置の接続等のような煩雑な操作を何ら行わせることなく、音楽データ配信サーバＳＶ１の利用によって当該ユーザに対し所望のアーティストの再生可能な音楽データをほぼ確実に提示することができる。
【０５１３】
そしてクライアント端末２は、このように音楽データの検索に音楽データ配信サーバＳＶ１を利用しても、音楽データ配信サーバＳＶ１で記憶している音楽データに基づく楽曲の聴取が要求されたときには、当該音楽データを購入して聴取させる前に試聴させることで、ユーザに対して音楽データを無駄に購入させることを未然に回避することができる。
【０５１４】
さらにクライアント端末２は、ディスプレイ２０６に表示した楽曲提示画像４０６及び４１０の提示リストをもとにして所望の音楽データを再生するようにしたことにより、ユーザに対して所望の音楽データの再生のために、わざわざハードディスクドライブ２１１や、メディアドライブ２０８、外部記憶再生装置、音楽データ配信サーバＳＶ１を再生用のファンクションとして選択させるような煩雑な操作を何ら行わせることなく、選択された音楽データを容易に再生することができる。
【０５１５】
さらにクライアント端末２は、ハードディスク内の楽曲管理データベースからアーティスト名に対応するアルバム名を読み出しアルバム名リストとする場合、検索キーの示す検索条件に該当するアルバム名を、記憶媒体同士やこれらと音楽データ配信サーバＳＶ１間での重複を無視して全て検出する方法（以下、これを重複許可検出方法と呼ぶ）と、検索キーの示す検索条件に該当するアルバム名を記憶媒体同士やこれらと音楽データ配信サーバＳＶ１間で重複を避けて検出する方法（以下、これを重複不可検出方法と呼ぶ）とをユーザに任意に選択させる。
【０５１６】
従ってクライアント端末２は、重複許可検出方法が選択されていれば、例えばＣＤに記憶されている音楽データをハードディスクに記憶するように要求されているときに当該ＣＤをリアルタイムで再生しながらハードディスクに記憶しなくても、音楽データ配信サーバＳＶ１から圧縮された音楽データを取得してハードディスクに対し容易にかつ短時間に記憶することができる。
【０５１７】
これに対してクライアント端末２は、重複不可検出方法が選択されていれば、例えば音楽データ配信サーバＳＶ１に記憶されている音楽データよりも記憶媒体に記憶されている音楽データを優先して曲名及びアルバム名を検出することで、クライアント端末２に装填されているＣＤの音楽データを音楽データ配信サーバＳＶ１から誤って購入するようなことを未然に回避することができる。
【０５１８】
このようにしてクライアント端末２は、ハードディスク内の楽曲管理データベースからアーティスト名に対応するアルバム名を読み出しアルバム名リストとする場合、重複許可検出方法と、重複不可検出方法とをユーザに対して任意に選択させることでクライアント端末２を自分の好みの使い方で使用させることができ、かくしてユーザに対するクライアント端末２の使い勝手を向上させることができる。
【０５１９】
（４）他の実施の形態
なお上述の実施の形態においては、再生可能な音楽データを提示する際にユーザに対し音楽データの種類としてアーティスト名を選択させるようにした場合について述べたが、本発明はこれに限らず、音楽データの種類であれば、楽曲のジャンルやアーティストの所属する音楽会社等を選択させるようにしても良い。
【０５２０】
また上述の実施の形態においては、ユーザに対して音楽データを提示するようにした場合について述べたが、本発明はこれに限らず、映画や写真、ゲームプログラム等のようにこの他種々のコンテンツデータを提示するようにしても良い。
【０５２１】
さらに上述の実施の形態においては、図２２について上述した楽曲提示処理シーケンスにおいてＣＤ、ＭＤ、音楽データ配信サーバＳＶ１、ハードディスクの順番でアーティストに対応する音楽データを検索するようにした場合について述べたが、本発明はこれに限らず、その検索の順番は図２２に示す順番に限定する必要は無く、処理負荷等を考慮してこの他種々の順番を適用可能である。
【０５２２】
これに加えて、音楽データ配信サーバＳＶ１から音楽データを購入する場合も、試聴した後に購入する必要はなく、試聴せずに直接購入したり、試聴のみして購入しないようにすることもできる。
【０５２３】
また音楽データ配信サーバＳＶ１に記憶されている音楽データについては、音楽データ配信サーバＳＶ１をあたかも記憶媒体のように扱い音楽データ全体をストリーミング形式でクライアント端末２に送信することで、その音楽データを購入させずに楽曲を聴取させるようにしても良い。
【０５２４】
さらに上述の実施の形態においては、図２５について上述した楽曲再生処理シーケンスにおいて、ハードディスク、ＣＤ、ＭＤ、音楽データ配信サーバＳＶ１の順番でアーティストに対応する再生可能な音楽データを再生するようにした場合について述べたが、本発明はこれに限らず、その再生の順番はユーザによる音楽データの選択の順番にあわせるようにすれば良い。
【０５２５】
さらに上述の実施の形態においては、本発明によるコンテンツ提示装置を、図１乃至図２９について上述したクライアント端末２に適用するようにした場合について述べたが、本発明はこれに限らず、パーソナルコンピュータや、携帯電話機、ＰＤＡ（Personal Digital Assistance ）、ネットワーク接続可能のゲーム機器等、種類の異なる記憶媒体からコンテンツデータを再生可能又は取得可能な情報処理装置のように、この他種々のコンテンツ提示装置に広く適用することができる。
【０５２６】
すなわち上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、これらハードウェア回路ブロック、機能回路ブロック及びプログラムモジュールを実装した端末であれば、上述したクライアント端末２と同様の処理を実現することができる。
【０５２７】
さらに上述の実施の形態においては、クライアント端末２が受信可能な放送としてラジオ局から放送されるラジオ放送を適用するようにした場合について述べたが、本発明はこれに限らず、クライアント端末２がテレビジョン用の放送局から放送されるテレビジョン放送を受信し、そのテレビジョン放送のテレビジョン番組に関する各種放送情報等をネットワークＮＴ上のサーバから取得することも可能である。
【０５２８】
さらに上述の実施の形態においては、本発明によるコンテンツ提示プログラムを、提示画像生成モジュールＭ１、データベース登録読出制御モジュールＭ２、ＣＤ再生制御モジュールＭ３、ＭＤ再生制御モジュールＭ４及び通信モジュールＭ５に適用するようにした場合について述べたが、本発明はこれに限らず、この他種々の構成のコンテンツ提示プログラムを適用することができる。
【０５２９】
さらに上述の実施の形態においては、１又は複数のコンテンツデータが記憶された内蔵記憶媒体として、図１乃至図２９について上述したクライアント端末２の記録媒体２９や、ハードディスクドライブ２１１のハードディスクを適用するようにした場合について述べたが、本発明はこれに限らず、半導体メモリ等のように、この他種々の内蔵記憶媒体を広く適用することができる。
【０５３０】
さらに上述の実施の形態においては、１又は複数のコンテンツデータが記憶された内蔵記憶媒体内に構築されたデータベースに対して登録及び読み出しを制御するデータベース登録読出制御手段として、図１乃至図２９について上述したクライアント端末２の制御部２３や、データベース登録読出制御モジュールＭ２に従って処理を実行するＣＰＵ２０３を適用するようにした場合について述べたが、本発明はこれに限らず、データベース登録読出制御モジュールＭ２に従ってＣＰＵ２０３が実行する処理と同様な処理を実行可能なハードウェア回路構成のデータベース登録読出制御回路等のように、この他種々のデータベース登録読出制御手段を広く適用することができる。
【０５３１】
さらに上述の実施の形態においては、１又は複数のコンテンツデータが記憶された外部記憶媒体として、図１乃至図２９について上述したＣＤ及びＭＤを適用するようにした場合について述べたが、本発明はこれに限らず、コンテンツデータを記憶し得るものであれば、クライアント端末２に外部から装填される半導体メモリや光ディスク、また外部の機器で再生可能なＤＶＤ等のように、この他種々の外部記憶媒体を広く適用することができる。
【０５３２】
さらに上述の実施の形態においては、１又は複数のコンテンツデータが記憶された外部記憶媒体に対して再生を制御する外部記憶媒体再生制御手段として、図１乃至図２９について上述したクライアント端末２の外部記録媒体記録再生部２８や、ＣＤ再生制御モジュールＭ３及びＭＤ再生制御モジュールＭ４に従って処理を実行するＣＰＵ２０３を適用するようにした場合について述べたが、本発明はこれに限らず、ＣＤ再生制御モジュールＭ３及びＭＤ再生制御モジュールＭ４に従ってＣＰＵ２０３が実行する処理と同様な処理を実行可能なハードウェア回路構成の外部記憶媒体再生制御回路等のように、この他種々の外部記憶媒体再生制御手段を広く適用することができる。
【０５３３】
さらに上述の実施の形態においては、データベース登録読出制御手段及び外部記憶媒体再生制御手段に対し所望の種類に属するコンテンツデータを検索するための同一の検索キーをそれぞれ送出することにより、データベース登録読出制御手段及び外部記憶媒体再生制御手段から通知された検索キーに対応するコンテンツデータのコンテンツ名のリストを含むコンテンツ提示画像を生成する提示画像生成手段として、図１乃至図２９について上述したクライアント端末２の制御部２３や、提示画像生成モジュールＭ１に従って処理を実行するＣＰＵ２０３を適用するようにした場合について述べたが、本発明はこれに限らず、提示画像生成モジュールＭ１に従ってＣＰＵ２０３が実行する処理と同様な処理を実行可能なハードウェア回路構成の提示画像生成回路等のように、この他種々の提示画像生成手段を広く適用することができる。
【０５３４】
さらに上述の実施の形態においては、外部のコンテンツ提供装置と通信するようにして、提示画像生成手段から与えられる検索キーをコンテンツ提供装置に送信することにより当該コンテンツ提供装置から送信された当該検索キーに対応する提供対象のコンテンツデータのコンテンツ名を含むコンテンツ属性情報を受信し、当該受信したコンテンツ属性情報を提示画像生成手段に引き渡す通信手段として、図１乃至図２９について上述した、外部のコンテンツ提供装置である音楽データ配信サーバＳＶ１と通信可能なクライアント端末２の通信制御部３２や、通信モジュールＭ５に従って処理を実行するＣＰＵ２０３を適用するようにした場合について述べたが、本発明はこれに限らず、通信モジュールＭ５に従ってＣＰＵ２０３が実行する処理と同様な処理を実行可能なハードウェア回路構成の通信回路等のように、この他種々の通信手段を広く適用することができる。
【０５３５】
さらに上述の実施の形態においては、外部記憶媒体再生制御手段が外部記憶媒体に対してアクセス可能か否かを検出する検出手段として、図１乃至図２９について上述したクライアント端末２の制御部２３や、提示画像生成モジュールＭ１（特に、オーディオユーザインタフェース５３）に従って処理を実行するＣＰＵ２０３を適用するようにした場合について述べたが、本発明はこれに限らず、提示画像生成モジュールＭ１（特に、オーディオユーザインタフェース５３）に従ってＣＰＵ２０３が実行する処理と同様な処理を実行可能なハードウェア回路構成の検出回路等のように、この他種々の検出手段を広く適用することができる。
【産業上の利用可能性】
【０５３６】
本発明は、パーソナルコンピュータや、音楽再生装置、ハードディスクレコーダ等のコンテンツ提示装置に利用することができる。
【図面の簡単な説明】
【０５３７】
【図１】本実施の形態における音楽関連サービス提供システムの全体構成を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）配信サービス提供処理手順（１）を示すシーケンスチャートである。
【図１３】ラジオ放送情報（ナウオンエア情報）配信サービス提供処理手順（２）を示すシーケンスチャートである。
【図１４】クライアント端末のハードウェア回路ブロックによるハードウェア構成を示すブロック図である。
【図１５】クライアント端末のプログラムモジュールを示す略線図である。
【図１６】ポータルサーバのハードウェア回路ブロックによるハードウェア構成を示すブロック図である。
【図１７】音楽データ配信サーバのハードウェア回路ブロックによるハードウェア構成を示すブロック図である。
【図１８】物販サーバのハードウェア回路ブロックによるハードウェア構成を示すブロック図である。
【図１９】ラジオ放送情報配信サーバのハードウェア回路ブロックによるハードウェア構成を示すブロック図である。
【図２０】ディスク情報提供サーバのハードウェア回路ブロックによるハードウェア構成を示すブロック図である。
【図２１】課金サーバのハードウェア回路ブロックによるハードウェア構成を示すブロック図である。
【図２２】楽曲提示処理シーケンスを示すシーケンスチャートである。
【図２３】楽曲提示画像の構成を示す略線図である。
【図２４】楽曲提示画像による、アーティスト名に応じたアルバム名の提示の説明に供する略線図である。
【図２５】楽曲再生処理シーケンスを示すシーケンスチャートである。
【図２６】楽曲提示処理手順を示すフローチャートである。
【図２７】該当楽曲属性情報取得処理サブルーチンを示すフローチャートである。
【図２８】ＣＤに対するアルバム名取得処理手順を示すフローチャートである。
【図２９】楽曲提示画像による、アーティスト名に応じた曲名の提示の説明に供する略線図である。
【符号の説明】
【０５３８】
１……音楽関連サービス提供システム、２……クライアント端末、ＳＶ１……音楽データ配信サーバ、２３……制御部、２８……外部記録媒体記録再生部、２９……記憶媒体、３２……通信制御部、２０３……ＣＰＵ、２０８……メディアドライブ、２１１……ハードディスクドライブ、２１４……通信処理部、２１５……ネットワークインタフェース、２１６……外部機器インタフェース、４００、４０６、４１０……楽曲提示画像、Ｍ１……提示画像生成モジュール、Ｍ２……データベース登録読出制御モジュール、Ｍ３……ＣＤ再生制御モジュール、Ｍ４……ＭＤ再生制御モジュール、Ｍ５……通信モジュール、ＲＴ１……楽曲提示処理手順、ＳＲＴ５３１……該当楽曲属性情報取得処理サブルーチン、ＲＴ２……アルバム名取得処理手順。
【図１】
2005331681.tif 000003
【図２】
2005331681.tif 000004
【図３】
2005331681.tif 000005
【図４】
2005331681.tif 000006
【図５】
2005331681.tif 000007
【図６】
2005331681.tif 000008
【図７】
2005331681.tif 000009
【図８】
2005331681.tif 000010
【図９】
2005331681.tif 000011
【図１０】
2005331681.tif 000012
【図１１】
2005331681.tif 000013
【図１２】
2005331681.tif 000014
【図１３】
2005331681.tif 000015
【図１４】
2005331681.tif 000016
【図１５】
2005331681.tif 000017
【図１６】
2005331681.tif 000018
【図１７】
2005331681.tif 000019
【図１８】
2005331681.tif 000020
【図１９】
2005331681.tif 000021
【図２０】
2005331681.tif 000022
【図２１】
2005331681.tif 000023
【図２２】
2005331681.tif 000024
【図２３】
2005331681.tif 000025
【図２４】
2005331681.tif 000026
【図２５】
2005331681.tif 000027
【図２６】
2005331681.tif 000028
【図２７】
2005331681.tif 000029
【図２８】
2005331681.tif 000030
【図２９】
2005331681.tif 000031